(57)【要約】【課題】  製本印刷を行う際に、本身の紙タイプや頁数等に応じて、製本に耐えられる適切な表紙の紙タイプを好適に選択させることができる印刷システム及び印刷方法及び情報処理装置並びに情報処理方法を提供する。【解決手段】  ＭＦＰ等の印刷装置は、文書データを印刷するための複数タイプの用紙を給紙可能であり、発注者によって文書データの本文を印刷する用紙が指定されると、その用紙のタイプに基づいて文書データの表紙を印刷する用紙のタイプが判定される。そして、操作部２０４には給紙可能な用紙のうち、判定された用紙のタイプを通常表示し、他の用紙のタイプをグレーアウト表示して区別する。【選択図】  図１
2006335047.tif 000002
【特許請求の範囲】
【請求項１】
タイプの異なる複数の用紙を用いて印刷処理を行う印刷システムであって、
文書データを入力する入力手段と、
前記入力手段により入力された文書データに基づいて印刷処理を行う印刷手段と、
複数ページにかかる前記文書データのうち第１のページ群にかかる文書データを印刷処理するのに用いる用紙のタイプを指定する第１の用紙タイプ指定手段と、
前記指定手段によって指定された前記用紙のタイプに基づいて、前記印刷システムが利用可能な複数の用紙のタイプから、前記文書データのうち第２のページ群にかかる文書データを印刷処理するのに用いることができる用紙のタイプを選択する第１の選択手段と、
前記第１の選択手段により選択された用紙のタイプから、前記第２のページ群にかかる文書データを印刷処理するのに用いる用紙のタイプを指定する第２の用紙タイプ指定手段と、
前記第１の用紙タイプ指定手段によって指定されたタイプの用紙に前記第１のページ群にかかる文書データを印刷処理し、前記第２の用紙タイプ指定手段によって指定されたタイプの用紙に前記第２のページ群にかかる文書データを印刷処理するよう前記印刷手段を制御する印刷制御手段と
を備えることを特徴とする印刷システム。
【請求項２】
前記第１のページ群にかかる前記文書データのページ数を指定するページ数指定手段と、
前記ページ数指定手段によって指定された前記ページ数に基づいて、前記印刷システムが利用可能な複数の用紙のタイプから、前記文書データのうち前記第１のページ群にかかる文書データを印刷処理するのに用いることができる用紙のタイプを選択する第２の選択手段とをさらに備え、
前記第１の用紙タイプ指定手段は、前記第２の選択手段により選択された用紙のタイプから、前記第１のページ群にかかる文書データを印刷処理するのに用いる用紙のタイプを指定することを特徴とする請求項１に記載の印刷システム。
【請求項３】
前記第１のページ群にかかる文書データに基づいて印刷処理された用紙束を、前記第２のページ群にかかる文書データに基づいて印刷処理された表紙を用いてくるむことで製本する製本手段をさらに備えることを特徴とする請求項１又は２に記載の印刷システム。
【請求項４】
前記表紙は、前記第２のページ群にかかる文書データに基づいて印刷処理された１枚の用紙であることを特徴とする請求項３に記載の印刷システム。
【請求項５】
前記印刷システムが利用可能な複数の用紙タイプのうち、前記第１の選択手段により選択された用紙のタイプを他の用紙のタイプと区別して表示する第１の表示手段をさらに備え、
前記第２の用紙タイプ指定手段は、前記第１の表示手段に表示された前記第１の選択手段により選択された用紙タイプの中から、所望のタイプの用紙を指定することを特徴とする請求項１から４までのいずれか１項に記載の印刷システム。
【請求項６】
前記第１の表示手段は、前記印刷システムが利用可能な複数の用紙タイプのうち、前記第１の選択手段によって選択された前記用紙のタイプを通常表示するとともに、前記他の用紙のタイプをグレーアウト表示することを特徴とする請求項５に記載の印刷システム。
【請求項７】
前記第２の用紙タイプ指定手段によって前記第１の表示手段によってグレーアウト表示された用紙のタイプのいずれかが選択された場合に警告画面を表示する警告手段をさらに備えることを特徴とする請求項６に記載の印刷システム。
【請求項８】
前記第１の選択手段によって選択された前記用紙のタイプのみ前記第２のページ群にかかる文書データを印刷する用紙として前記第２の用紙タイプ指定手段で指定可能とする指定制御手段をさらに備えることを特徴とする請求項６に記載の印刷システム。
【請求項９】
前記第１のページ群にかかる文書データを印刷するための用紙のタイプに関する第１の属性情報を用紙のタイプごとに保持する第１の保持手段と、
前記第２のページ群にかかる文書データを印刷するための用紙のタイプに関する第２の属性情報を用紙のタイプごとに保持する第２の保持手段とをさらに備え、
前記第１の選択手段は、前記第１の用紙タイプ指定手段により指定された用紙のタイプに関する前記第１の属性情報と、前記用紙のタイプごとの第２の属性情報とに基づいて、前記第２のページ群にかかる文書データを印刷処理するのに用いることができる用紙タイプを選択することを特徴とする請求項１から８までのいずれか１項に記載の印刷システム。
【請求項１０】
前記用紙のタイプは、用紙の材質、用紙の厚さ、用紙の単位面積当たりの重量の少なくともいずれかであることを特徴とする請求項１から９までのいずれか１項に記載の印刷システム。
【請求項１１】
前記印刷システムは、印刷処理する文書データを入力する文書入力装置と、前記文書入力装置と通信媒体を介して接続された前記文書データを印刷処理する印刷装置を備え、
前記文書入力装置は、前記入力手段、前記第１の用紙タイプ指定手段、前記第１の選択手段及び前記第２の用紙タイプ指定手段を備え、
前記印刷装置は、前記印刷手段及び前記印刷制御手段を備えることを特徴とする請求項１から１０までのいずれか１項に記載の印刷システム。
【請求項１２】
前記第１のページ群及び前記第２のページ群は少なくとも１枚以上の用紙に印刷処理を行うための、少なくとも１ページ以上の文書データを含むページ群であることを特徴とする請求項１から１１までのいずれか１項に記載の印刷システム。
【請求項１３】
タイプの異なる複数の用紙を用いて印刷処理を行う印刷装置を用いた印刷方法であって、
文書データを入力する入力工程と、
複数ページにかかる前記文書データのうち第１のページ群にかかる文書データを印刷処理するのに用いる用紙のタイプを指定する第１の用紙タイプ指定工程と、
前記指定工程によって指定された前記用紙のタイプに基づいて、前記印刷システムが利用可能な複数の用紙タイプから、前記文書データのうち第２のページ群にかかる文書データを印刷処理するのに用いることができる用紙のタイプを選択する選択工程と、
前記選択工程にて選択された用紙のタイプから、前記第２のページ群にかかる文書データを印刷処理するのに用いる用紙のタイプを指定する第２の用紙タイプ指定工程と、
前記第１の用紙タイプ指定工程によって指定されたタイプの用紙に前記第１のページ群にかかる文書データを印刷処理し、前記第２の用紙タイプ指定工程によって指定されたタイプの用紙に前記第２のページ群にかかる文書データを印刷処理する印刷工程と
を有することを特徴とする印刷方法。
【請求項１４】
タイプの異なる複数の用紙を用いて印刷処理を行う印刷装置に接続される情報処理装置であって、
文書データを入力する入力手段と、
複数ページにかかる前記文書データのうち第１のページ群にかかる文書データを印刷処理するのに用いる用紙のタイプを指定する第１の用紙タイプ指定手段と、
前記第１の用紙タイプ指定手段によって指定された前記用紙のタイプに基づいて、前記印刷システムが利用可能な複数の用紙のタイプから、前記文書データのうち第２のページ群にかかる文書データを印刷処理するのに用いることができる用紙のタイプを選択する第１の選択手段と、
前記第１の選択手段により選択された用紙のタイプから、前記第２のページ群にかかる文書データを印刷処理するのに用いる用紙のタイプを指定する第２の用紙タイプ指定手段と、
前記入力手段により入力された文書データと、前記第１の用紙タイプ指定手段が指定した前記第１のページ群にかかる文書データを印刷処理するのに用いる用紙タイプに関する情報と、前記第２の用紙タイプ指定手段が指定した前記第２のページ群にかかる文書データを印刷処理するのに用いる用紙タイプに関する情報を前記印刷装置に送信する送信手段と
を備えることを特徴とする情報処理装置。
【請求項１５】
前記第１のページ群にかかる前記文書データのページ数を指定するページ数指定手段と、
前記ページ数指定手段によって指定された前記ページ数に基づいて、前記印刷システムが利用可能な複数の用紙のタイプから、前記文書データのうち前記第１のページ群にかかる文書データを印刷処理するのに用いることができる用紙のタイプを選択する第２の選択手段とをさらに備え、
前記第１の用紙タイプ指定手段は、前記第２の選択手段により選択された用紙のタイプから、前記第１のページ群にかかる文書データを印刷処理するのに用いる用紙のタイプを指定することを特徴とする請求項１４に記載の情報処理装置。
【請求項１６】
前記印刷装置は、前記第１のページ群にかかる文書データに基づいて印刷処理された用紙束を、前記第２のページ群にかかる文書データに基づいて印刷処理された表紙を用いてくるむことで製本する製本手段を備えることを特徴とする請求項１４又は１５に記載の情報処理装置。
【請求項１７】
前記表紙は、前記第２のページ群にかかる文書データに基づいて印刷処理された１枚の用紙であることを特徴とする請求項１６に記載の情報処理装置。
【請求項１８】
前記印刷装置は、利用可能な複数の用紙タイプのうち、前記第１の選択手段により選択された用紙のタイプを他の用紙のタイプと区別して表示する第１の表示手段を備え、
前記第２の用紙タイプ指定手段は、前記第１の表示手段に表示された前記第１の選択手段により選択された用紙タイプの中から、所望のタイプの用紙を指定することを特徴とする請求項１４から１７までのいずれか１項に記載の情報処理装置。
【請求項１９】
前記第１の表示手段は、前記印刷装置が利用可能な複数の用紙タイプのうち、前記第１の選択手段によって選択された前記用紙のタイプを通常表示するとともに、前記他の用紙のタイプをグレーアウト表示することを特徴とする請求項１８に記載の情報処理装置。
【請求項２０】
前記第２の用紙タイプ指定手段によって前記第１の表示手段によってグレーアウト表示された用紙のタイプのいずれかが選択された場合に警告画面を表示する警告手段をさらに備えることを特徴とする請求項１９に記載の情報処理装置。
【請求項２１】
前記第１の選択手段によって選択された前記用紙のタイプのみ前記第２のページ群にかかる文書データを印刷する用紙として前記第２の用紙タイプ指定手段で指定可能とする指定制御手段をさらに備えることを特徴とする請求項１９に記載の情報処理装置。
【請求項２２】
前記用紙のタイプは、用紙の材質、用紙の厚さ、用紙の単位面積当たりの重量の少なくともいずれかであることを特徴とする請求項１４から２１までのいずれか１項に記載の情報処理装置。
【請求項２３】
前記第１のページ群及び前記第２のページ群は少なくとも１枚以上の用紙に印刷処理を行うための、少なくとも１ページ以上の文書データを含むページ群であることを特徴とする請求項１４から２２までのいずれか１項に記載の情報処理装置。
【請求項２４】
タイプの異なる複数の用紙を用いて印刷処理を行う印刷装置に接続される情報処理装置の情報処理方法であって、
文書データを入力する入力工程と、
複数ページにかかる前記文書データのうち第１のページ群にかかる文書データを印刷処理するのに用いる用紙のタイプを指定する第１の用紙タイプ指定工程と、
前記指定工程によって指定された前記用紙のタイプに基づいて、前記印刷装置が利用可能な複数の用紙タイプから、前記文書データのうち第２のページ群にかかる文書データを印刷処理するのに用いることができる用紙のタイプを選択する選択工程と、
前記選択工程にて選択された用紙のタイプから、前記第２のページ群にかかる文書データを印刷処理するのに用いる用紙のタイプを指定する第２の用紙タイプ指定工程と、
前記入力工程により入力された文書データと、前記第１の用紙タイプ指定工程にて指定した前記第１のページ群にかかる文書データを印刷処理するのに用いる用紙タイプに関する情報と、前記第２の用紙タイプ指定工程にて指定した前記第２のページ群にかかる文書データを印刷処理するのに用いる用紙タイプに関する情報を前記印刷装置に送信する送信工程と
を有することを特徴とする情報処理方法。
【発明の詳細な説明】
【技術分野】
【０００１】
本発明は、文書データを用いて印刷処理を行う印刷システム及び印刷方法及び情報処理装置並びに情報処理方法に関する。
【背景技術】
【０００２】
近年の印刷装置は、カラー化、ディジタル化、及び高速化が進むことにより、徐々にオフセット印刷が主流の印刷機業界へ進出してきている。
【０００３】
この分野においては、画像形成を終えて排出された用紙（シート）を製本したり、綴じたりする需要が非常に多い。また、製本の種類も用途に応じて多岐に渡っている。例えば、マニュアルやテキスト等で良く使用される包み（くるみ）製本は、印刷装置で出力した製本物の表示以外の用紙束（以下、本身と呼ぶ）の背となる部分で糊付けを行い、表紙にて本身を包むことで最終的な成果物を得る製本方法である。
【０００４】
例えば、特開２００２−２８３７６７号公報（特許文献１）には、表表紙により用紙束の表紙面側の側縁部と背部を包んで接着し、裏表紙を表表紙に接着した後、用紙束の糊塗布部を加圧して冊子を作成する技術が記載されている。また、用紙を格納するカセットに対して用紙の種類が予め設定されている場合に、画像形成させたい用紙を指定した際に、当該種類の用紙がカセットに設定されていない場合に警告を行うという技術も知られている（特許文献２参照）。
【特許文献１】特開２００２−２８３７６７号公報
【特許文献２】特開２００３−２６２９９４号公報
【発明の開示】
【発明が解決しようとする課題】
【０００５】
しかしながら、上述した方法を用いて包み製本を行う場合、表紙と本身とで異なる種類の用紙を自由に用いることができるようにしてしまうと製本成果物に不具合が生じることがある。例えば、本身として用いられる用紙が厚い場合（例えば、用紙の１枚１枚が厚い場合や用紙の枚数が多い場合）に、それを包む表紙に柔らかい（例えば、厚さが薄い）用紙を使用してしまうと、製本された印刷物がたわんでしまうおそれがある。また、本身として使用する用紙が頑強な素材である場合には、包む表紙も本身の素材に合わせた頑強な素材を使用しなければ、同様に強度に耐えられなくなってしまう。
【０００６】
印刷業界で扱う製本物の中には、頁数の多いものも数多く存在し、特に、紙束の厚さは製本物によって大きく変わってくる。また、本身や表紙で使用する紙媒体の種類も豊富に存在する。そのため、本身の厚さや紙媒体の種類に応じて、適切な表紙となる素材を豊富な選択肢の中から選択しなければならないという問題がある。
【０００７】
本発明は、このような事情を考慮してなされたものであり、製本印刷を行う際に、本身の紙タイプや頁数等に応じて、製本に耐えられる適切な表紙の紙タイプを好適に選択させることができる印刷システム及び印刷方法及び情報処理装置並びに情報処理方法を提供することを目的とする。
【課題を解決するための手段】
【０００８】
上記課題を解決するために、本発明は、タイプの異なる複数の用紙を用いて印刷処理を行う印刷システムであって、
文書データを入力する入力手段と、
前記入力手段により入力された文書データに基づいて印刷処理を行う印刷手段と、
複数ページにかかる前記文書データのうち第１のページ群にかかる文書データを印刷処理するのに用いる用紙のタイプを指定する第１の用紙タイプ指定手段と、
前記指定手段によって指定された前記用紙のタイプに基づいて、前記印刷システムが利用可能な複数の用紙のタイプから、前記文書データのうち第２のページ群にかかる文書データを印刷処理するのに用いることができる用紙のタイプを選択する第１の選択手段と、
前記第１の選択手段により選択された用紙のタイプから、前記第２のページ群にかかる文書データを印刷処理するのに用いる用紙のタイプを指定する第２の用紙タイプ指定手段と、
前記第１の用紙タイプ指定手段によって指定されたタイプの用紙に前記第１のページ群にかかる文書データを印刷処理し、前記第２の用紙タイプ指定手段によって指定されたタイプの用紙に前記第２のページ群にかかる文書データを印刷処理するよう前記印刷手段を制御する印刷制御手段と
を備えることを特徴とする。
【０００９】
また、上記課題を解決するために、本発明は、タイプの異なる複数の用紙を用いて印刷処理を行う印刷装置を用いた印刷方法であって、
文書データを入力する入力工程と、
複数ページにかかる前記文書データのうち第１のページ群にかかる文書データを印刷処理するのに用いる用紙のタイプを指定する第１の用紙タイプ指定工程と、
前記指定工程によって指定された前記用紙のタイプに基づいて、前記印刷システムが利用可能な複数の用紙タイプから、前記文書データのうち第２のページ群にかかる文書データを印刷処理するのに用いることができる用紙のタイプを選択する選択工程と、
前記選択工程にて選択された用紙のタイプから、前記第２のページ群にかかる文書データを印刷処理するのに用いる用紙のタイプを指定する第２の用紙タイプ指定工程と、
前記第１の用紙タイプ指定工程によって指定されたタイプの用紙に前記第１のページ群にかかる文書データを印刷処理し、前記第２の用紙タイプ指定工程によって指定されたタイプの用紙に前記第２のページ群にかかる文書データを印刷処理する印刷工程と
を有することを特徴とする。
【００１０】
さらに、上記課題を解決するために、本発明は、タイプの異なる複数の用紙を用いて印刷処理を行う印刷装置に接続される情報処理装置であって、
文書データを入力する入力手段と、
複数ページにかかる前記文書データのうち第１のページ群にかかる文書データを印刷処理するのに用いる用紙のタイプを指定する第１の用紙タイプ指定手段と、
前記第１の用紙タイプ指定手段によって指定された前記用紙のタイプに基づいて、前記印刷システムが利用可能な複数の用紙のタイプから、前記文書データのうち第２のページ群にかかる文書データを印刷処理するのに用いることができる用紙のタイプを選択する第１の選択手段と、
前記第１の選択手段により選択された用紙のタイプから、前記第２のページ群にかかる文書データを印刷処理するのに用いる用紙のタイプを指定する第２の用紙タイプ指定手段と、
前記入力手段により入力された文書データと、前記第１の用紙タイプ指定手段が指定した前記第１のページ群にかかる文書データを印刷処理するのに用いる用紙タイプに関する情報と、前記第２の用紙タイプ指定手段が指定した前記第２のページ群にかかる文書データを印刷処理するのに用いる用紙タイプに関する情報を前記印刷装置に送信する送信手段と
を備えることを特徴とする。
【００１１】
さらにまた、上記課題を解決するために、本発明は、タイプの異なる複数の用紙を用いて印刷処理を行う印刷装置に接続される情報処理装置の情報処理方法であって、
文書データを入力する入力工程と、
複数ページにかかる前記文書データのうち第１のページ群にかかる文書データを印刷処理するのに用いる用紙のタイプを指定する第１の用紙タイプ指定工程と、
前記指定工程によって指定された前記用紙のタイプに基づいて、前記印刷装置が利用可能な複数の用紙タイプから、前記文書データのうち第２のページ群にかかる文書データを印刷処理するのに用いることができる用紙のタイプを選択する選択工程と、
前記選択工程にて選択された用紙のタイプから、前記第２のページ群にかかる文書データを印刷処理するのに用いる用紙のタイプを指定する第２の用紙タイプ指定工程と、
前記入力工程により入力された文書データと、前記第１の用紙タイプ指定工程にて指定した前記第１のページ群にかかる文書データを印刷処理するのに用いる用紙タイプに関する情報と、前記第２の用紙タイプ指定工程にて指定した前記第２のページ群にかかる文書データを印刷処理するのに用いる用紙タイプに関する情報を前記印刷装置に送信する送信工程と
を有することを特徴とする。
【発明の効果】
【００１２】
本発明によれば、製本印刷を行う際に、本身の紙タイプや頁数等に応じて、製本に耐えられる適切な表紙の紙タイプを好適に選択させることができる。
【発明を実施するための最良の形態】
【００１３】
以下、図面を参照して、本発明の一実施形態に係る印刷処理システム及び印刷方法について詳細に説明する。
【００１４】
＜第１の実施形態＞
［システム全体の構成］
図１は、本発明の第１の実施形態に係る印刷処理システムを示す図である。図１に示す印刷システムは、１つ又は複数のユーザ端末（本実施形態では、ユーザ端末１０１、及びユーザ端末１０２）と、インターネット１０３を介して接続されているＰＯＤ（Ｐｒｉｎｔ  Ｏｎ  Ｄｅｍａｎｄ）システム１１５から成っている。
【００１５】
ＰＯＤシステム１１５に対してプリントサービスの発注を行う発注者は、ユーザ端末１０１又はユーザ端末１０２を用いてプリントサービスの発注をすることができる。
【００１６】
一方、ＰＯＤシステム１１５において、受注サーバ１０５は、インターネット１０３を介してユーザ端末からプリントサービスを受注するサーバであり、ユーザ端末からのプリントサービスとしてプリントジョブデータを受信する。ここで、プリントジョブデータとは、ユーザ端末にて特定のアプリケーションソフトウェアで作成された複数ページのデータに関するデータである。プリントジョブデータは、ユーザ端末にて動作するアプリケーションソフトウェアで作成されたデータに、そのデータをＰＯＤシステムにてどのような出力形態（例えば、製本の種類、カラーモード、用紙タイプ）で出力させるかを示す設定情報（ジョブチケット）を付加したデータである。受注サーバ１０５がユーザ端末１０１又は１０２から受信したプリントジョブデータは、受注サーバ１０５が発行するＩＤ番号で管理される。この受注サーバ１０５は、ウェブサーバ機能を備えており、インターネット１０３を介してユーザ端末１０１及びユーザ端末１０２にて動作するウェブブラウザに対して、ウェブブラウザにて表示させるべき表示データを送信する機能を有する。
【００１７】
ファイルサーバ１０６は、受注サーバ１０５がインターネット１０３を介して受信したプリントジョブデータを保存して管理するためサーバである。
【００１８】
また、ファイルサーバ１０６には、ディジタル複合機（ＭＦＰ：Multi Function Peripheral）１１０／ＭＦＰ１１１で使用可能であるシート（メディア）の情報（例えば、シートの厚さ、シートの単位面積当たりの重量、シートの強度、シートの光沢度等）が保存されている。
【００１９】
プリントサーバ１０８は、スキャナ１０７／ＭＦＰ１１０／ＭＦＰ１１１等の原稿を画像データとして読み取るスキャンデバイスにより読み取られた画像データを保存するためのサーバである。また、プリントサーバ１０８は、読み込んだ画像データの補正（読取方向のずれの補正、ノイズ（黒点）の除去）を実行したり、ファイルサーバ１０６に保存されている複数のプリントジョブデータやスキャナ１０７等により読み取られた画像データを結合したりする。
【００２０】
プリントサーバ１０８、クライアントＰＣ１０９、スキャナ１０７、ＭＦＰ１１０、ＭＦＰ１１１は、ＬＡＮ等のネットワーク１０４により接続され、各装置間でデータを転送したり、制御コマンドを送受信したりすることができる。
【００２１】
また、図１に示す印刷処理システムにおいて、紙折り機１１２は、ＭＦＰ１１０やＭＦＰ１１１により出力された複数枚のシートを折り畳む機能を有する。
【００２２】
また、くるみ製本機（case binding device）１１３は、製本されるべき複数枚のシートに対して、表紙となるシートを糊付けして製本する機能を有する。
【００２３】
さらにまた、断裁機（sheet cutting device）１１４は、くるみ製本機１１３によって表紙が糊付けされて複数枚のシートを製本したものを裁断する。
【００２４】
［ＭＦＰの周辺構成］
次に、ＭＦＰ（Ｍｕｌｔｉ  Ｆｕｎｃｔｉｏｎ  Ｐｅｒｉｐｈｅｒａｌ）について説明する。図２は、ＭＦＰ１１０、１１１の構成を示すブロック図である。本実施形態に係るＭＦＰ１１０、１１１は、複数のジョブデータを記憶可能なハードディスク２０９等のメモリを具備する。また、ＭＦＰ１１０、１１１は、スキャナ部２０１から入力されたジョブデータをハードディスク２０９等へ記憶させた後にプリンタ部２０３でプリントするコピー機能や、外部Ｉ／Ｆ２０２を介して入力されたジョブデータをハードディスク２０９等へ記憶させた後にプリンタ部２０３でプリントするプリント機能を備える。
【００２５】
図２に示すように、本実施形態に係るＭＦＰは、紙原稿等の画像を読み取るとともに読み取られた画像データを画像処理するスキャナ部２０１と、外部装置と画像データ等を送受信する外部Ｉ／Ｆ２０２と、ハードディスク２０９等に記憶されたジョブデータに基づいてシート上に画像形成するプリンタ部２０３とを備えている。
【００２６】
また、ＭＦＰは、操作部２０４をさらに備え、ＭＦＰの様々な処理機能を選択したり、各種の指示したりすることができる。
【００２７】
さらに、ＭＦＰはＣＰＵ２０５を備え、ＲＯＭ２０７に読み込んだプログラムに基づいて動作する。また、ＭＦＰのＲＯＭ２０７には、外部Ｉ／Ｆ２０２が外部装置（例えば、クライアントＰＣ１０９）から受信したＰＤＬ（Page Description language：ページ記述言語）コードデータを解釈して、ラスターイメージデータに展開する動作を実行するためのプログラムが記憶されており、ＣＰＵ２０５が実行する。
【００２８】
さらにまた、ＭＦＰのメモリコントローラ部２０６は、ＲＯＭ２０７、ＲＡＭ２０８、及びハードディスク２０９へのアクセスを制御する。
【００２９】
ＲＯＭ２０７は、読み出し専用のメモリであり、ＭＦＰの各種の機能を初期化するためのプログラムやフォント情報等が予め記憶されている。また、ＲＡＭ２０８は、読み出し及び書き込み可能なメモリであり、スキャナ部２０１や外部Ｉ／Ｆ２０２よりメモリコントローラ部２０６を介して送られてきた画像データや、各種プログラムや設定情報を記憶する。さらに、ハードディスク２０９は、圧縮伸長部２１０によって圧縮された画像データを記憶する大容量の記憶装置である。
【００３０】
圧縮伸長部２１０は、ＪＢＩＧやＪＰＥＧ等といった各種圧縮方式によってＲＡＭ２０８、ハードディスク２０９に記憶されている画像データ等を圧縮・伸長動作を行う。
【００３１】
［ＭＦＰの構成］
図３は、ＭＦＰの構成を示す断面図である。
【００３２】
図３において、自動原稿搬送装置（Automatic Document Feeder：ＡＤＦ）６０１は、原稿トレイの積載面にセットされた原稿シート束を１枚ずつ順番に分離して、スキャナ６０２によって原稿走査するために原稿台ガラス上へ搬送する装置である。スキャナ６０２は、原稿台ガラス上に搬送された原稿の画像を読み取り、ＣＣＤによって画像データに変換する。回転多面鏡（ポリゴンミラー等）６０３は、変換された画像データに応じて変調された、例えばレーザー光等の光線を入射させ、反射ミラーを介して反射走査光として感光ドラム６０４に照射する。
【００３３】
感光ドラム６０４上に反射走査光として照射されたレーザー光によって形成された潜像はトナーによって現像され、転写ドラム６０５上に貼り付けられたシート材に対してトナー像を転写する。この一連の画像形成プロセスをイエロー（Ｙ）、マゼンタ（Ｍ）、シアン（Ｃ）、ブラック（Ｋ）の各トナーに対して順次実行することによりフルカラー画像が形成される。
【００３４】
そして、４回の画像形成プロセスの後に、フルカラー画像形成された転写ドラム６０５上のシート材は、分離爪６０６によって分離され、定着前搬送部６０７によって定着器６０８へ搬送される。定着器６０８は、ローラやベルトの組み合わせによって構成され、ハロゲンヒータ等の熱源を内蔵し、トナー像が転写されたシート材上のトナーを、熱と圧力によって溶解、定着させる。
【００３５】
排紙フラッパ６０９は、揺動軸を中心に揺動可能に構成され、シートの搬送方向を規定する。例えば、排紙フラッパ６０９が図６中の時計回りの方向に揺動しているときには、シートは真直ぐに搬送され、排紙ローラ６１０によって機外へ排出される。一方、シートの両面に画像を形成する際には、排紙フラッパ６０９が図中反時計回りの方向に揺動し、シートは下方向に進路を変更され両面搬送部へと送り込まれる。
【００３６】
両面搬送部は、反転フラッパ６１１、反転ローラ６１２、反転ガイド６１３及び両面トレイ６１４より構成される。反転フラッパ６１１は、揺動軸を中心に揺動可能に構成され、シートの搬送方向を規定する。まず、反転フラッパ６１１が図中反時計回りの方向に揺動し、シートは反転ローラ６１２によって反転ガイド６１３へと送り込まれる。シート後端が反転ローラ６１２に狭持された状態で反転ローラ６１２は一旦停止し、引き続き反転フラッパ６１１が図中時計回りの方向に揺動する。さらに、反転ローラ６１２が逆方向に回転し、シートはスイッチバックして搬送され、後端と先端が入れ替わった状態で両面トレイ６１４へと導かれる。
【００３７】
両面トレイ６１４では、シートを一旦積載し、その後、再給紙ローラ６１５によってシートは再びレジストローラ６１６へと送り込まれる。このときシートは、１面目の転写工程とは反対の面が感光ドラムと対向する側になって送られてきている。そして、先述したプロセスと同様にして２面目の画像が形成され、シートの両面に画像が形成され、定着工程を経て機外へ排出される。
【００３８】
給紙搬送部は、シートカセットＡ６１７、Ｂ６１８、ペーパーデッキ６１９、手差しトレイ６２０と、給紙ローラ６２１、及びレジストローラ６１６によって構成されている。
【００３９】
シートカセットＡ６１７、Ｂ６１８及びペーパーデッキ６１９には、各種サイズ及び各種マテリアルのシートが収納され、また手差しトレイ６２０には、ＯＨＴシート等のフィルム材を含む各種の記録媒体が積載される。シートカセットＡ６１７、シートカセットＢ６１８、ペーパーデッキ６１９及び手差しトレイ６２０には、それぞれに給紙ローラ６２１が設けられ、シートが１枚ずつ給送される。具体的には、ピックアップローラによって積載されたシートが順次繰り出され、給紙ローラ６２１に対向して設けられる分離ローラによって重送が防止され、シートは１枚ずつ搬送ガイドへと送り出される。
【００４０】
ここで、分離ローラには、搬送方向とは逆方向に回転させる駆動力が、図示しないトルクリミッタを介して入力されている。分離ローラは、給紙ローラ６２１との間に形成されるニップ部にシートが１枚だけ進入しているときには、シートに従動して搬送方向に回転する。一方、重送が発生している場合には、分離ローラは搬送方向とは逆方向に回転することにより、重送したシートが戻され、最上部の１枚だけが送り出されるようになっている。
【００４１】
送り出されたシートは、搬送ガイドの間を案内され、複数の搬送ローラによってレジストローラ６１６まで搬送される。このときレジストローラ６１６は停止しており、シートの先端がレジストローラ６１６対で形成されるニップ部に突き当たり、シートがループを形成し斜行が補正される。その後、画像形成部において感光ドラム６０４上に形成されるトナー像のタイミングに合わせて、レジストローラ６１６は回転を開始してシートを搬送する。
【００４２】
レジストローラ６１６により送られたシートは、吸着ローラ６２２によって転写ドラム６０５表面に静電気的に吸着される。
【００４３】
プリンタ部の定着部から排出されたシートは、オンラインフィニッシャ部に入る（フィニッシャが接続されている場合）。オンラインフィニッシャ部には、サンプルトレイ６２３及びスタックトレイ６２４があり、ジョブの種類や排出されるシートの枚数に応じて切り替えて排出される。
【００４４】
ソート方式には２通りあり、複数のビンを有して各ビンに振り分けるビンソート方式と、電子ソート機能とビン（又は、トレイ）を奥手前方向にシフトしてジョブ毎に出力シートを振り分けるシフトソート方式によるソーティングを行うことができる。電子ソート機能は、コレートと呼ばれ、コア部に大容量メモリを持っていれば、このバッファメモリを利用して、バッファリングしたページ順と排出順を変更する、いわゆるコレート機能を用いることで電子ソーティングの機能もサポートできる。次に、グループ機能は、ソーティングがジョブ毎に振り分けるのに対し、ページ毎に仕分けする機能である。
【００４５】
さらに、出力すべきジョブに対してステープルモードが設定されている場合には、スタックトレイ６２４に排出するように制御する。その際には、シートがスタックトレイ６２４に排出される前に、シートをジョブ毎にフィニッシャ内部の処理トレイ６２５に順次蓄えておき、処理トレイ６２５上においてステープラ６２６によってバインドして、その上で、スタックトレイ６２４へ記録紙束を束排出する。
【００４６】
その他、上記２つのトレイに至るまでに、ファイル用の２つ（又は３つ等）の穴開けを行うパンチャ６２７があり、ジョブの種類に応じてパンチ処理を行う。例えば、出力すべきジョブに対するシート処理に関する設定として、ユーザにより操作部を介してパンチ処理設定がなされた場合には、そのジョブの記録紙に対してパンチャ６２７によるパンチ処理を実行させ、その上で、機内を通過させて、スタックトレイ６２４及びサンプルトレイ６２３等の排出トレイに排紙するよう制御する。
【００４７】
さらに、サドルステッチャ６２８は、シートの中央部分を２か所バインドした後に、シートの中央部分をローラに噛ませることによりシートを半折りし、パンフレットのようなブックレットを作成する処理（製本処理）を行う。サドルステッチャ６２８で製本されたシートは、ブックレットトレイ６２９に排出される。尚、当該サドルステッチャ６２８による製本処理等のシート処理動作の実行可否も、上述したように出力すべきジョブに対してユーザにより設定されたシート処理設定に基づく。
【００４８】
また、インサータ６３０は、インサートトレイ６３１にセットされたシートをプリンタへ通さずにスタックトレイ６２４及びサンプルトレイ６２３等の排出トレイのいずれかに送るためのものである。これによってオンラインフィニッシャ部に送り込まれるシート（プリンタ部で印刷されたシート）とシートの間にインサータ６３０にセットされたシートをインサート（中差し）することができる。インサータ６３０のインサートトレイ６３１にはユーザによりフェイスアップの状態でセットされるものとし、ピックアップローラにより最上部のシートから順に給送する。
【００４９】
従って、インサータ６３０からのシートは、そのままスタックトレイ６２４又はサンプルトレイ６２３へ搬送することにより、フェイスダウン状態で排出される。サドルステッチャ６２８へ送るときには、一度パンチャ側へ送り込んだ後スイッチバックさせて送り込むことによりフェースの向きを合わせる。尚、当該インサータ６３０によるシート挿入処理等のシート処理動作の実行可否も、上述したように出力すべきジョブに対してユーザにより設定されたシート処理設定に基づく。
【００５０】
［受注サーバによる受注］
次に、ユーザ端末１０１、１０２からＰＯＤシステム１１５に対してプリントサービスの発注を行う動作について説明する。
【００５１】
ＰＯＤシステム１１５に対してプリントサービスの発注を行いたいユーザは、ユーザ端末１０１又は１０２においてウェブブラウザを起動させ、受注サーバ１０５のネットワーク上のアドレス（ＵＲＬ）を入力することで、受注サーバ１０５にアクセスする。受注サーバ１０５は、ユーザ端末１０１又は１０２からのアクセスを検出すると、受注サーバ１０５へアクセスするための認証情報（例えば、パスワード）の入力をユーザ端末１０１又は１０２に要求する。受注サーバ１０５は、ユーザ端末１０１又は１０２から正しい認証情報（パスワード）の入力が確認されたことに応じて、ユーザ端末からのアクセスを許可する。ユーザ端末１０１又は１０２は、受注サーバ１０５からアクセスが許可されると、プリントサービスを依頼したいプリントジョブデータの処理条件やその他のプリント依頼情報等を入力する。これにより、ユーザ端末１０１又は１０２から受注サーバ１０５に対して、インターネット１０３を経由してプリントサービスを依頼したいデータの処理設定やその他のプリント依頼情報等とともに、プリント対象となる文書／画像ファイルを電子データとして送付し、ウェブサーバとして機能する受注サーバ１０５にプリントジョブデータを送信することができる。
【００５２】
なお、ユーザがＰＯＤシステム１１５にプリントサービスを依頼するにあたって電子データを受注サーバ１０５に送信するのではなく、プリント済みの原稿そのものを宅配便等で別送する場合もある。その場合、ユーザ端末１０１又はユーザ端末１０２上で動作するウェブブラウザからは、どのようなプリント条件でプリントサービスを実行させるかを指定するプリント条件設定やその他のプリントサービス依頼情報のみを入力して受注サーバ１０５に送信する。この場合、別送されたプリントサービスの対象となる原稿と、受注サーバ１０５に送付されたプリント条件設定やその他のプリントサービス依頼情報等との関連付けをＰＯＤシステム１１５のオペレータが判断することになる。
【００５３】
［受注サーバの構成］
図４は、ＰＯＤシステム１１５における受注サーバ１０５の構成を示すブロック図である。受注サーバ１０５は、図４に示すように、ウェブサーバ１００１、制御部１００２、インタフェース（Ｉ／Ｆ）１００３、及びメモリ１００４を備えている。
【００５４】
ウェブサーバ１００１は、インターネット１０３を介して接続されるユーザ端末１０１、１０２等にウェブページの閲覧サービスを提供するサーバであり、ユーザがプリントサービスを発注するための閲覧用のページデータが置かれている。制御部１００２は、受注サーバ１０５を制御する部分であり、Ｗｅｂサーバ１００１からウェブページを送信する動作や、インターネット１０３を介してＷｅｂサーバ１００１に入力された受注データをＬＡＮ１０４等へ送信する動作や、ファイルサーバ１０６に記憶されている紙媒体（メディア）に関する情報を、ネットワーク１０４、Ｉ／Ｆ１００３を介して読み込み（リード）、メモリ１００４へ書き込む（ライト）動作等を行う。
【００５５】
Ｉ／Ｆ１００３は、受注サーバ１０５がネットワーク１０４を介して、その他ネットワーク１０４に接続されているＰＯＤシステム１１５内の各デバイスへ受注データを送信するためのインタフェースである。メモリ１００４は、受注データや、ファイルサーバ１０６よりリードした各種紙媒体の情報を記憶するためのメモリであり、制御部１００２により制御される。
【００５６】
［受発注におけるワークフロー］
図５は、ユーザからのプリントサービスの受発注におけるＰＯＤシステムのワークフローを示す図である。図５における左側のブロックは、プリントサービスを利用するユーザである発注者の作業を示し、右側のブロックは、ＰＯＤシステム１１５におけるオペレータの作業を示す。
【００５７】
まず発注者はユーザ端末１０１又は１０２にてインターネット１０３上のウェブページにアクセスし、ＰＯＤシステム１１５における受注サーバ１０５に対して、仮発注を行う（Ｓ１１０１）。例えば、発注依頼したいサービスがプリントサービスである場合は、ユーザ端末１０１又は１０２のウェブブラウザから受注サーバ１０５に対してユーザ認証を行った後に、どのようなプリント条件で出力させるかを指定するプリント条件設定やその他のプリントサービス依頼情報等を入力する。これにより、ユーザ端末１０１又は１０２から受注サーバ１０５に対して、インターネット１０３を経由してプリント条件設定やその他のプリントサービス依頼情報等とともにプリント対象となる文書データや画像ファイルを電子データとして送付し、ウェブサーバとして機能する受注サーバ１０５にプリントサービスを仮発注する。
【００５８】
また、発注依頼したいプリントサービスが紙原稿をＰＯＤシステム１１５のスキャナ等で読み取ってコピーをするコピージョブである場合は、ユーザ端末１０１又は１０２から受注サーバ１０５へ文書／画像ファイルを電子データとして送付しない代わりに、コピー対象となる紙原稿を宅配便等で別送する。そして、ユーザ端末１０１又は１０２のウェブブラウザからは、どのようなコピー条件で出力させるかを指定するコピー条件設定やその他のコピーサービス依頼情報のみを入力する。この場合、別送されたコピー対象となる紙原稿と受注サーバ１０５に送付されたコピー条件設定やその他のコピーサービス依頼情報等との関連付けをオペレータが判断することになる。
【００５９】
発注者から仮発注を受けたＰＯＤシステム１１５の受注サーバ１０５では、仮受注したプリントサービスに対して受付や保存等の仮受注のための処理を実行するとともに（Ｓ１１０２）、受注サーバ１０５或いはＭＩＳサーバにおいてオペレータへの作業の割り当てを実行する（Ｓ１１０３）。オペレータへの作業の割り当て方法としては、受注サーバ１０５のスケジューラにより作業担当者を自動割り当てする方法、作業者の管理者が適当な作業担当者を手動割り当てする方法、各作業者が仮受注したジョブを処理することにより手動割り当てする方法といったように、様々な方法が考えられる。
【００６０】
さらにＰＯＤシステム１１５の受注サーバ１０５或いはＭＩＳサーバでは、仮受注したプリントサービスに対してコストの見積りを実行する（Ｓ１１０４）。この見積りは、仮発注時に発注者が入力したプリント条件やコピーサービス条件等を参照して、コピーサービスに必要な作業や資源に関わる費用や配送料等の諸経費の見積りに基づいた費用を算出し、発注者に対して見積り金額を提示する。
【００６１】
見積り金額の提示を受けた発注者は、管理者からの承認を得て（Ｓ１１０５）、その後に、ＰＯＤシステム１１５の受注サーバ１０５に対して、正式発注を実行する（Ｓ１１０６）。この際、仮発注したジョブのプリント条件やコピー条件等を正式発注時に変更することも可能である。
【００６２】
ＰＯＤシステム１１５の受注サーバ１０５が発注者より正式発注を受けると、工程管理、プリプレス、ディジタルプリント、ポストプレスの各工程を利用して、正式受注したプリントサービスに対する印刷／製本等の各種処理を実行する（Ｓ１１０７）。そして、ＰＯＤサイトにおける印刷／製本等の各種処理を終了した後、発注者より予め指定された配送先に対して最終成果物（印刷物）を配送する（Ｓ１１０８）。これにより、発注者が最終成果物（印刷物）を受け取ることになる。
【００６３】
［受発注管理アプリケーションの設定画面］
本実施形態では、インターネット等の通信媒体を介してユーザ端末１０１又は１０２から受注サーバ１０５に対してプリントサービスを受発注するために、受発注管理アプリケーションが使用される。
【００６４】
図６は、プリントサービスを受発注するための受発注管理アプリケーショメニューの画面を示す図である。受発注管理アプリケーションのメニュー画面は、インターネット等の通信媒体を介してユーザ端末１０１又は１０２からプリントサービスを受発注する場合に、受発注管理アプリケーションにログインしたときにウェブブラウザを介してユーザ端末１０１又は１０２のディスプレイ（ＣＲＴ等）に表示される画面である。なお、以下の説明において、発注者（ユーザ）は、ユーザ端末１０１又は１０２のウェブブラウザを介して受注サーバ１０５のウェブサーバ１００１に各種のデータを送信することになる。発注者（ユーザ）は、ユーザ端末１０１及び１０２に備えられるマウス等のポインティングデバイスを利用してウェブブラウザを操作することで、ウェブサーバ１００１に各種のデータを送信する。
【００６５】
図６では、ウェブブラウザのＵＲＬアドレスとして、ＩＰアドレス１９２．１６８．１００．２１を入力した例を示したが、ＤＮＳ（Ｄｏｍａｉｎ  Ｎａｍｅ  Ｓｙｓｔｅｍ。インターネット等のＴＣＰ／ＩＰネットワーク上で、ホスト名からＩＰアドレス割り出すサービスを提供するシステム。）がサポートされている環境であれば、ＩＰアドレスの代わりにサーバ名称を入力してもよい。
【００６６】
受発注管理アプリケーションのメニュー画面は、発注者が印刷注文依頼を行うための「注文メニュー」、発注者が受発注管理アプリケーションで実行した注文や承認の内容を確認するための「オーダー確認メニュー」、発注者が受注サーバに保持されている情報のメンテナンスを行うための「設定メニュー」、の３つのメニューから構成される。
【００６７】
また、受発注管理アプリケーションのメニュー画面の上部に、ログイン名により識別された「依頼者」の氏名が表示されるようにしてもよい。さらに、図６に示すように、受発注管理アプリケーションのメニュー画面の上部には、受発注管理アプリケーションからログアウトするための「ログアウト」ボタン１２０２が配置されている。
【００６８】
「注文メニュー」には、以下のメニューボタンが配置されている。「出力／製本サービス」ボタン１２０１は、電子データ（文書データ）から文書を印刷して、製本処理を行うプリントサービスを依頼するためのボタンである。「ポスター／パネル」ボタンは、電子データからポスター等を印刷して、パネル加工処理を行うプリントサービスを依頼するためのボタンである。「コピーサービス」ボタンは、紙原稿を印刷（コピー）して、製本処理等を行うプリントサービスを依頼するためのボタンである。「再注文」ボタンは、発注者が以前に依頼した上記３つのプリントサービスの依頼を再度行うためのボタンである。「保管ドキュメント」ボタンは、ＰＯＤシステム１１５のファイルサーバ１０６等が予め保管している定型のマニュアル等を印刷するプリントサービスを依頼するためのボタンである。
【００６９】
「オーダー確認メニュー」には、以下のメニューボタンが配置されている。「発注オーダーの一覧」ボタンは、発注者が受発注管理アプリケーションで依頼したプリントサービスに対して、発注オーダーの一覧を確認するためのメニューのボタンである。「承認オーダーの一覧」ボタンは、発注者が受発注管理アプリケーションで実行した承認に対して、承認オーダーの一覧を確認するためのメニューのボタンである。「グループのオーダー一覧」ボタンは、発注者が属しているユーザグループが受発注管理アプリケーションで実行した注文に対して、オーダーの一覧を確認するためのメニューのボタンである。「完了オーダーの一覧（発注実績）」ボタンは、発注者が過去の発注実績として受発注管理アプリケーションで注文を完了したオーダーの一覧を確認するためのメニューのボタンである。
【００７０】
「設定メニュー」には、「パスワードの設定」ボタンが配置されている。「パスワードの設定」ボタンは、発注者が受発注管理アプリケーションにログインするためのパスワードの設定を行うためのメニューのボタンである。
【００７１】
図７は、受発注オーダーにおける出力／製本サービスのための設定画面構成の一例を示す図である。図７に示す画面は、図６の「出力／製本サービス」ボタンを押下することにより表示される設定画面である。図１１では、ウェブブラウザのＵＲＬアドレスとして、ＩＰアドレス１９２．１６８．１００．２１を入力した例を示したが、ＤＮＳ（Ｄｏｍａｉｎ  Ｎａｍｅ  Ｓｙｓｔｅｍ。インターネット等のＴＣＰ／ＩＰネットワーク上で、ホスト名からＩＰアドレス割り出すサービスを提供するシステム。）がサポートされている環境であれば、ＩＰアドレスの代わりにサーバ名称を入力してもよい。
【００７２】
図７の上部に、プリントサービスを依頼するユーザのユーザ端末１０１又１０２へのログイン名により識別された「依頼者」の氏名が表示されるようにしてもよい。また、受発注管理アプリケーションからログアウトするための「ログアウト」ボタン１３０６が配置されている。その下には、画面遷移表示ボックス１３０１に「入稿設定」、「印刷体裁設定」、「オーダー確認」といったような画面遷移が表示されており、図７では「入稿設定」の画面を示している。
【００７３】
「入稿するファイル」エディットボックスでは、入稿すべきファイルの参照パスを設定する。「参照」ボタンを押下することにより、発注者が利用するユーザ端末１０１又は１０２のローカルディレクトリを参照しながら、ユーザ端末１０１又は１０２のハードディスクに保存されたファイルを指定することにより、プリントサービスとして入稿すべきファイル（文書データ）の参照パスを指定することができる。また、「ページ数」エディットボックスでは、入稿すべきファイルのページ数を設定する。なお、ページ数の設定は、入稿されるファイルからユーザ端末１０１又は１０２が自動的に算出して設定するようにしてもよい。
【００７４】
「製本構成」プルダウンリストボックス１３０２では、入稿すべきファイルが製本印刷する上での、本身のデータであるか、表紙のデータであるか、或いは本身と表紙のデータであるかを選択する。また、「ファイル作成時のＯＳ」プルダウンリストボックスでは、入稿すべきファイルが作成されたＯＳを選択する。「作成アプリケーション」プルダウンリストボックスでは、入稿すべきファイルが作成されたアプリケーションを選択し、「バージョン」エディットボックスでは、入稿すべきファイルが作成されたアプリケーションのバージョンを設定する。
【００７５】
そして、上述したような設定が終了した場合、「入稿（アップロード開始）」ボタン１３０３を押下することにより、入稿すべきファイルのアップロードを開始する。受注サーバ１０５にアップロードされた入稿ファイルは、「入稿ファイル名」と「ページ数」が一覧ボックス１３０４に表示される。また、「次へ（印刷体裁設定へ）」ボタン１３０５は、次画面の「印刷体裁設定」画面に移行するためのボタンである。
【００７６】
図８は、出力／製本サービスの印刷体裁を設定するための設定画面構成の一例を示す図である。図８に示すように、画面遷移表示ボックス１４０１には、「入稿設定」、「印刷体裁設定」、「オーダー確認」といったような画面遷移が表示されており、図８では「印刷体裁設定」の画面を示している。
【００７７】
「入稿ファイル」では、「入稿ファイル名」表示ボックス１４０２に入稿されたファイル名が表示されるとともに、「ページ数」エディットボックス１４０３に入稿されたファイルのページ数が表示され、ファイルのページ数を変更することができる。また、「製本構成」表示ボックス１４０４には、入稿されたファイルが製本印刷する上での構成が表示される。
【００７８】
また、「印刷体裁」では、以下の項目を変更することができる。「仕上がりサイズ」プルダウンリストボックス１４０５では、プリントデバイスの出力用紙サイズを選択する。「原稿の調整」では、「仕上がりサイズに合わせて拡大／縮小する」チェックボックス１４０６により、「仕上がりサイズ」プルダウンリストボックス１４０５に指定した出力用紙サイズに合わせて拡大／縮小するか否かを指定する。「出力用紙の向き」ラジオボタン１４０７では、「縦」「横」といったようなプリントデバイスの出力用紙の向きを選択する。
【００７９】
さらに、「印刷体裁」では、「製本の種類」プルダウンリストボックス１４０８では、プリントデバイスのフィニッシャで実行される製本の種類を選択する。図９は、「製本の種類」プルダウンリストボックス１４０８を選択して、製本の種類のリストをプルダウン表示させた一例を示す図である。本実施形態では、図９に示す「製本の種類」プルダウンリストボックス１４０８を用いて、製本の種類である、「製本なし」、「くるみ製本」、「中綴じ製本」、「バインダー綴じ製本」等の中から一つを選択する。図９は、この中からくるみ製本を選択した例を示している。
【００８０】
ここでくるみ製本を選択すると、図１０に示す「製本詳細設定」の画面が、「印刷体裁設定」の画面の上にポップアップされて表示される。すなわち、図１０は、図８に示す「印刷体裁設定」の画面の上にポップアップされて表示される「製本詳細設定」の画面の一例を示す図である。
【００８１】
図１０において、「製本の種類」プルダウンリストボックス１６０１には、「製本の種類」プルダウンリストボックス１４０８で選択した製本の種類が表示される。尚、選択したものと別の製本の種類に変更したい場合には、「製本の種類」プルダウンリストボックス１６０１により再度選択し直す。
【００８２】
「仕切り紙の有無」ラジオボタン１６０２では、製本印刷物の本身の間に仕切り紙を「付ける」、「付けない」といったような設定を選択する。「仕切り紙の間隔」では、仕切り紙を本身の間に一定のページ間隔で挿入したい場合にページ数を入力し、ページ間隔を挿入する仕切り紙毎に詳細に編集したい場合に「詳細」ボタンを押下する。
【００８３】
「タブ紙の有無」ラジオボタン１６０３では、製本印刷物の本身の間にタブ紙を「付ける」、「付けない」といったような設定を選択する。「タブ紙の間隔」では、タブ紙を本身の間に一定のページ間隔で挿入したい場合にページ数を入力し、ページ間隔を挿入するタブ紙毎に詳細に編集したい場合に「詳細」ボタンを押下する。
【００８４】
「設定」ボタン１６０４は、上記の詳細設定で問題ない場合には、「設定」ボタン１６０４を押下することで製本詳細設定を完了し、図１０の「製本詳細設定」の画面を閉じる。「取り消し」ボタン１６０５は、上記の製本に関する詳細設定を取りやめたい場合には、「取り消し」ボタン１６０５を押下することで製本設定を取り消して、図１０の「製本詳細設定」の画面を閉じる。「元に戻す」ボタン１６０６は、上述した詳細設定で入力した値を元の初期値に戻したい場合に押下する。
【００８５】
図８に示す「印刷体裁設定」の画面の説明に引き続き戻る。「とじ方向」ラジオボタン１４０９では、「左」、「右」、「上」、「その他」といったような製本のとじ方向を選択する。「印刷」ラジオボタン１４１０では、「片面」、「両面」といったような印刷方法を選択する。「カラーモード」ラジオボタン１４１１では、「カラー」、「モノクロ」といったようなカラーモードを選択する。
【００８６】
また、「用紙タイプ（本身）」プルダウンリストボックス１４１２では、プリントデバイスの用紙タイプ、又製本印刷時における本身の部分の用紙タイプを選択する。「用紙タイプ（仕切り紙）」プルダウンリストボックス１４１３では、プリントデバイスの製本印刷時における仕切り紙の部分の用紙タイプを選択する。「製本の種類」プルダウンリストボックス１４０８により、「製本なし」を選択した場合や、図８の「製本詳細設定」の画面において、「仕切り紙の有無」ラジオボタン１６０２によって「付けない」を選択した場合には、自動的に「設定なし」で設定される。
【００８７】
「用紙タイプ（タブ紙）」プルダウンリストボックス１４１４では、プリントデバイスの製本印刷時におけるタブ紙の部分の用紙タイプを選択する。「製本の種類」プルダウンリストボックス１４０８により、「製本なし」、「中綴じ製本」を選択した場合や、図１４の「製本詳細設定」の画面において、「タブ紙の有無」ラジオボタン１６０３によって「付けない」を選択した場合には、自動的に「設定なし」で設定される。
【００８８】
「用紙タイプ（表紙）」プルダウンリストボックス１４１５では、プリントデバイスの製本印刷時における表紙の部分の用紙タイプを選択する。「製本の種類」プルダウンリストボックス１４０８により、「製本なし」、「バインダー綴じ製本」を選択した場合には、自動的に「設定なし」で設定される。「戻る（入稿設定へ）」ボタン１４１６は、「入稿設定」、「印刷体裁設定」、「オーダー確認」といったような画面遷移において、前画面の「入稿設定」画面に戻るためのボタン、「次へ（オーダー確認へ）」ボタン１４１７は、次画面の「オーダー確認」画面に移行するためのボタンである。
【００８９】
図１１は、出力／製本サービスにおいてオーダーする内容を確認し発注するための画面構成の一例を示す図である。画面遷移表示ボックス１７０１には、「入稿設定」、「印刷体裁設定」、「オーダー確認」といったような画面遷移が表示されており、図１１では「オーダー確認」の画面を示している。「入稿設定情報」表示ボックス１７０２には、「入稿ファイル名」、「ページ数」、「使用ページ」、「製本構成」、「ＯＳ」、「作成アプリケーション」といったような該当するオーダーを構成するファイルの情報が一覧で表示される。
【００９０】
「印刷体裁情報」表示ボックス１７０３には、「カラーモード」、「仕上がりサイズ」、「出力用紙の向き」、「原稿の調整」、「製本の種類」及び本身、仕切り紙、タブ紙、及び表紙の「用紙タイプ」といったような該当するオーダーの印刷体裁情報が表示される。さらに、「メモ」エディットボックス１７０４には、発注者が記した該当するオーダーに関するメモ書きが表示される。
【００９１】
上記設定内容の確認が終了した場合、「発注する」ボタン１７０５を押下することにより、設定した内容に従って発注を開始する。「取り消し」ボタン１７０６を押下すると、今まで設定してきた内容を取り消して、図６のメニュー画面に戻る。尚，図１１において、「戻る（印刷体裁設定へ）」１７０７ボタンは、前画面の「印刷体裁設定」画面に戻るためのボタンである。
【００９２】
［くるみ製本出力例］
次に、包み製本印刷時における出力例について説明する。
【００９３】
図１２は、印刷装置によって冊子等をくるみ製本印刷設定により生成した場合のプリント出力例を示す図である。図１２において、１２Ａは、冊子全体がたわまずに正常に出力された場合を示している。本身のメディア（紙媒体）の種類や、厚さ（枚数）に対して、表紙のメディアの包んだ際のたわみに対する強度が十分であれば、冊子はたわむことなく形状をくずさずに出力することができる。
【００９４】
また、１２Ｂは、冊子がたわんで出力された場合を示している。本身のメディア（紙媒体）の種類や、厚さ（枚数）に対して、表紙のメディアの包んだ際のたわみに対する強度が十分でなければ、冊子はたわんでしまい見た目の悪い出力結果となってしまうため、商品にならない可能性がある。
【００９５】
［受発注管理アプリケーションを使用した製本時の表紙メディア選択シーケンス］
ここでは、第１の実施形態における製本印刷時の表紙メディア選択シーケンスについて実際のユーザ端末１０１、１０２の画面上に表示される受発注管理アプリケーション画面を参照して説明する。
【００９６】
図１３Ａ、Ｂ、Ｃは、第１の実施形態における製本印刷時の用紙タイプ選択シーケンスを説明するためのフローチャートである。
【００９７】
まず、発注者が製本印刷するファイル（文書データ）の入稿を行う（ステップＳ１９０１）。ステップＳ１９０１において、発注者は、ユーザ端末１０１又は１０２において、ウェブブラウザに表示される図６の受発注管理アプリケーションのメニュー画面の「出力／製本サービス」ボタン１２０１を押下する。すると、ユーザ端末１０１又は１０２は、出力／製本サービスのための設定画面に進み、「入稿設定」の画面を、ウェブブラウザを介して表示する。
【００９８】
発注者は、入稿するファイルの参照パスを「入稿するファイル」エディットボックスに入力して、「入稿（アップロード開始）」ボタン１３０３を押下すると、指定したファイルが受注サーバ１０５にアップロードされて、「入稿ファイル名」と「ページ数」が一覧ボックス１３０４に表示される。図１４は、「入稿（アップロード開始）」ボタン１３０３を押下した際に表示される「入稿設定」の画面の一例を示す図である。そして、設定内容を確認して問題なければ、「次へ（印刷体裁設定へ）」ボタン１３０５を押下して、次画面の「印刷体裁設定」画面に移行する。
【００９９】
発注者は、「印刷体裁設定」画面において製本の種類の設定を含む印刷の体裁の設定を行う（ステップＳ１９０２）。図１５は、第１の実施形態における「印刷体裁設定」の画面の一例を示す図である。ここでは、製本の種類としてくるみ製本を選択する例を説明する。
【０１００】
「製本の種類」プルダウンリストボックス１４０８横のプルダウンボタンが押下されると、各製本の種類のプルダウンリストが表示されるので、くるみ製本を選択する。図１６は、図１５に示す画面において製本の種類のリストをプルダウン表示させた一例を示す図である。
【０１０１】
そして、製本の詳細の設定を行う（ステップＳ１９０３）。「製本の種類」プルダウンリストボックス１４０８より製本の種類を選択すると、図１７に示すような「製本詳細設定」の画面が表示される。図１７は、第１の実施形態における「製本詳細設定」の画面の一例を示す図である。本実施形態では、仕切り紙とタブ紙をそれぞれ付ける例を取り上げて説明する。そこで、「仕切り紙の有無」ラジオボタン１６０２、「タブ紙の有無」ラジオボタン１６０３について、それぞれ「付ける」のラジオボタンを選択する。そして、設定内容に問題が無ければ、「設定」ボタン１６０４を押下してステップＳ１９０４へ移行する。
【０１０２】
ステップＳ１９０４では、印刷装置は、表紙、本身、仕切り紙、タブ紙の各用紙タイプを発注者に選択させるための表示データの構成を、上記設定の製本の種類に応じて切り換えるよう制御する。受注サーバ１０５は、発注者の設定情報をウェブサーバ１００１を介して受信して、制御部１００２において製本種類に応じた用紙の製本構成に合わせた用紙タイプ選択画面を表示するよう切り換える。そして、「製本の種類」プルダウンリストボックス１４０８によって、「設定なし（製本なし）」又は「バインダー綴じ製本」を選択した場合には、ステップＳ１９０５へ移行する。また、「中綴じ製本」を選択した場合には、ステップＳ１９０７へ移行する。さらに、「くるみ製本」を選択した場合には、ステップＳ１９１０へ移行する。
【０１０３】
次に、ステップＳ１９０４で製本の種類として「設定なし（製本なし）」或いは「バインダー綴じ製本」を選択した場合について説明する。「設定なし」又は「バインダー綴じ製本」が選択された場合、表紙は無いものとするため、表紙を除いた本身、仕切り紙、タブ紙の用紙タイプ選択画面（図示しない）を表示させる（ステップＳ１９０５）。尚、「仕切り紙の有無」ラジオボタン１６０２、「タブ紙の有無」ラジオボタン１６０３において「付けない」を選択している場合には、ラジオボタンに対応する仕切り紙、タブ紙は表示されない。
【０１０４】
本実施形態において「設定なし」を設定している場合、用紙タイプの選択は、「用紙タイプ（本身）」プルダウンリストボックス１４１２、「用紙タイプ（仕切り紙）」プルダウンリストボックス１４１３、「用紙タイプ（タブ紙）」プルダウンリストボックス１４１４によって行うものとする。
【０１０５】
そして、発注者は、ステップＳ１９０５で表示された用紙タイプ選択画面より、本身、仕切り紙、タブ紙の用紙タイプを選択し（ステップＳ１９０６）、ステップＳ１９１７に進む。
【０１０６】
次に、ステップＳ１９０４で製本の種類として「中綴じ製本」を選択した場合について説明する。「中綴じ製本」では、本実施形態においてはタブ紙は無いものとするため、タブ紙を除く表紙、本身、仕切り紙の用紙タイプ選択画面（図示しない）が表示される（ステップＳ１９０７）。尚、「仕切り紙の有無」ラジオボタン１６０２において「付けない」を選択している場合には、仕切り紙は表示されない。
【０１０７】
次いで、発注者は、ステップＳ１９０７で表示された用紙タイプ選択画面より、本身、仕切り紙の用紙タイプを選択する（ステップＳ１９０８）。そして、印刷装置内の受注サーバ１０５は、ステップＳ１９０８で選択した本身、仕切り紙の用紙タイプの設定情報をウェブサーバ１００１を介して受け取り、続いて制御部１００２は、選択した用紙タイプのメディア情報をファイルサーバ１０６より、Ｉ／Ｆ１００３を介して受信するよう制御を行い（ステップＳ１９０９）、ステップＳ１９１３へ移行する。
【０１０８】
次に、ステップＳ１９０４で製本の種類として「くるみ製本」を選択した場合について説明する。ステップＳ１９０４で「くるみ製本」が選択された場合、表紙、本身、仕切り紙、タブ紙の用紙タイプ選択画面が表示される（ステップＳ１９１０）。尚、「仕切り紙の有無」ラジオボタン１６０２において「付けない」を選択している場合には、仕切り紙は表示されない。
【０１０９】
図１８は、「製本詳細設定」の画面において「設定」ボタン１６０４を押下して表示される「用紙タイプ設定」の画面の一例を示す図である。
【０１１０】
図１８に示す画面において、「表紙用紙タイプ」選択ボックス２４０１は、表紙の用紙タイプを選択する欄であり、選択可能である用紙タイプのリストが表示されている。「本身用紙タイプ」選択ボックス２４０２は、本身の用紙タイプを選択する欄であり、選択可能である用紙タイプのリストが表示されている。「仕切り紙用紙タイプ」選択ボックス２４０３は、仕切り紙の用紙タイプを選択する欄であり、選択可能である用紙タイプのリストが表示されている。尚、本実施形態においては、「仕切り紙の有無」ラジオボタン１６０２において「付けない」を選択している場合には、「仕切り紙用紙タイプ」選択ボックス２４０３は表示されない。
【０１１１】
また、図１８に示す画面において、「タブ紙用紙タイプ」選択ボックス２４０４は、仕切り紙の用紙タイプを選択する欄であり、選択可能である用紙タイプのリストが表示されている。本実施形態においては、「製本の種類」プルダウンリストボックス１４０８により、「中綴じ製本」が選択されている場合や、「タブ紙の有無」ラジオボタン１６０３において「付けない」を選択している場合には、「タブ紙用紙タイプ」選択ボックス２４０４は表示されない。
【０１１２】
上記各選択ボックス２４０１〜２４０４において、例えば、推奨である用紙タイプは黒で表示され、推奨ではない用紙タイプはグレーで表示される。また、用紙タイプを選択すると、選択された用紙タイプは反転表示される。
【０１１３】
また、図１８に示す画面において、「入稿ファイルページ数」エディットボックス２４０５は、入稿するファイルを製本する際のページ数を入力するためのものである。「設定」ボタン２４０６は、上述した各設定が問題ない場合に押下するためのボタンである。「取り消し」ボタン２４０７は、用紙タイプ設定を取りやめて、「印刷体裁設定」の画面に戻るためのボタンである。「元に戻すボタン２４０８は、「用紙タイプ設定」の画面における設定を初期化して、何も選択していない状態に戻すためのボタンである。
【０１１４】
図１３の製本印刷時の用紙タイプ選択シーケンスを示すフローチャートの説明に戻る。発注者は、ステップＳ１９１０で表示された用紙タイプ選択画面より、本身、仕切り紙,タブ紙の用紙タイプを選択する（ステップＳ１９１１）。そして、印刷装置内の受注サーバ１０５は、選択した本身、仕切り紙、タブ紙の用紙タイプの設定情報をウェブサーバ１００１を介して受け取り、続いて制御部１００２は、選択した用紙タイプのメディア情報をファイルサーバ１０６より、Ｉ／Ｆ１００３を介して受信するよう制御を行い（ステップＳ１９１２）、ステップＳ１９１３へ移行する。
【０１１５】
ステップＳ１９１３では、用紙タイプのメディア情報の受信が完了するのを待ち続ける。そして、受信が完了すると、ステップＳ１９１４へ移行する。
【０１１６】
ステップＳ１９１４においては、まず、表紙の推奨の用紙タイプとして選択させる用紙タイプのリストを決定する。受注サーバ１０５のメモリ１００４において、表紙にした際にたわまずに形状の整った製本結果を得るために、たわまないと考えられる用紙タイプのみを選択させるよう制限するための表紙メディア制限テーブル２５０１が予め生成されている。
【０１１７】
図１９は、表紙タイプテーブル、本身タイプテーブル、仕切り紙タイプテーブル、タブ紙タイプテーブルを示す図である。
【０１１８】
表紙タイプテーブル２５０１は、印刷装置（ＭＦＰ１１０、１１１）が使用可能な用紙タイプ毎耐久度のリスト構成になっている。耐久度とは、製本結果のたわみにくさを示す度合いであり、耐久度が高い用紙タイプのものほど製本結果がたわみにくくなる。また、本身タイプテーブル２５０２、仕切り紙タイプテーブル２５０３、タブ紙タイプテーブル２５０４は、ファイルサーバ１０６より予めロードした、用紙タイプ毎のメディア情報（用紙の厚さ、単位面積あたりの重量、用紙の材質等の情報）を元に、用紙タイプ毎の耐久度のリストとして作成されたテーブルである。
【０１１９】
そして、ウェブサーバ１００１を介して受信したプリントジョブデータに含まれる、本身、仕切り紙、タブ紙の用紙タイプの設定情報に基づいて、制御部１００２はメモリ１００３内の表紙タイプテーブル２５０１、本身タイプテーブル２５０２、仕切り紙タイプテーブル２５０３、タブ紙タイプテーブル２５０４を参照しながら、表紙として選択させる用紙として推奨するタイプを決定する。
【０１２０】
次いで、表紙として選択させる推奨の用紙タイプが反映された「用紙タイプ設定」の画面の表示データをウェブサーバ１００１を介して、ユーザ端末１０１又は１０２へ送信する（ステップＳ１９１５）。図１９は、ユーザ端末１０１／ユーザ端末１０２において表示される「用紙タイプ設定」の画面の一例を示す図である。
【０１２１】
図２１では、「本身用紙タイプ」選択ボックス２４０２によって、本身の用紙タイプとしてカラー標準紙を選択し、「仕切り紙用紙タイプ」選択ボックス２４０３によって、仕切り紙の用紙タイプとして色紙（グリーン）を選択し、「タブ紙用紙タイプ」選択ボックス２４０４によって、タブ紙の用紙タイプとして厚紙１５０ｇ／ｍ２を選択し、「入稿ファイルページ数」エディットボックス２４０５によって、製本するページ数を１００ページと設定した場合を示している。
【０１２２】
そして、上記設定において、制御部１００２は、表紙として使用可能な用紙タイプは、全て製本してもたわまないと判断されるため、「表紙用紙タイプ」選択ボックス２４０１に表示される用紙タイプのリストは全て黒で表示される。尚、図２１は、たわまないと推奨された用紙タイプの中から普通紙を選択した場合を示している。図２２Ａ〜Ｃは、第１の実施形態における頁数を変化させた場合の「用紙タイプ設定」の画面の表示例を示している。
【０１２３】
まず、図２２Ａは、図２１に示す画面設定において、「入稿ファイルページ数」エディットボックス２４０５によりページ数を２５０ページと設定した場合を示す図である。図２２Ａでは、ページ数を増やした結果、厚さと重量が増えたためにたわむと判定された用紙タイプがグレーアウトされている。具体的には、図２２Ａでは、２５０ページに設定した結果、普通紙が表紙の推奨紙ではなくなったので、厚紙１５０ｇ／ｍ２を選択した場合を示している。
【０１２４】
図２２Ｂは、図２２Ａの画面から「入稿ファイルページ数」エディットボックス２４０５によりページ数を５００ページと設定した場合の画面を示す図である。ページ数を増やした結果、厚さと重量が更に増えたため、グレーアウトされる用紙タイプが増える。具体的には、図２２Ｂでは５００ページに設定した結果、厚紙１５０ｇ／ｍ２が表紙の推奨紙ではなくなったので、厚紙２１０ｇ／ｍ２を選択した場合を示している。
【０１２５】
図２２Ｃは、「入稿ファイルページ数」エディットボックス２４０５によりページ数を５００ページと設定した場合に、グレーアウトされた推奨紙ではない普通紙を選択した場合の画面を示す図である。図２２Ｃに示すように、本実施形態では、グレーアウトされた非推奨紙であっても選択することが可能であり、選択された用紙タイプは反転表示される。ここで「設定」ボタン２４０５を押下すると、非推奨紙を表紙として選択していることを警告するための警告画面が表示される。
【０１２６】
図２３は、「表紙用紙タイプ」選択ボックス２４０１においてグレーアウトされている非推奨紙を選択した場合に表示される警告画面の一例を示す図である。発注者は、選択した非推奨紙の用紙タイプで製本して問題なければ、「設定」ボタン２９０１を押下する。また、非推奨紙での製本を取り消したい場合には、「取り消し」ボタン２９０２を押下する。
【０１２７】
次に、図２４Ａ〜Ｄは、第１の実施形態における紙タイプを変化させた場合の「用紙タイプ設定」の画面の表示例である。具体的には、図２４Ａは、図２７に示す画面の設定において「本身用紙タイプ」選択ボックス２４０２により、本身の用紙タイプを厚紙１０６ｇ／ｍ２と設定した場合の画面を示す図である。図２４Ａでは、用紙タイプを変更した結果、厚さ、単位面積当たりの重量、材質等の本身のメディア情報が変化したためにたわむと判定された用紙タイプがグレーアウトされている。すなわち、図２４Ａでは、厚紙１０６ｇ／ｍ２に設定した結果、普通紙が表紙の推奨紙ではなくなったので、厚紙１５０ｇ／ｍ２を選択した場合を示している。
【０１２８】
また、図２４Ｂは、図２４Ａの画面から「本身用紙タイプ」選択ボックス２４０２により、本身の用紙タイプを厚紙１５０ｇ／ｍ２と設定した場合の画面を示す図である。用紙タイプを変更した結果、厚さ、重量、強度等の本身のメディア情報より、たわみに耐えられる用紙タイプが増えると判定されたため、グレーアウトされる用紙タイプが増える。すなわち、図２４Ｂでは、厚紙１５０ｇ／ｍ２に設定した結果、厚紙１５０ｇ／ｍ２が表紙の推奨紙ではなくなったので、カルメン紙２０９ｇ／ｍ２を選択した場合を示している。
【０１２９】
さらに、図２４Ｃは、図２４Ｂの画面から「仕切り紙用紙タイプ」選択ボックス２４０３により、仕切り紙の用紙タイプを厚紙１５０ｇ／ｍ２と設定し、「タブ紙用紙タイプ」選択ボックス２４０４により、タブ紙の用紙タイプを厚紙２１０ｇ／ｍ２と設定した場合を示す図である。仕切り紙とタブ紙の用紙タイプも変更した結果、たわみに耐えられる用紙タイプが更に増えると判定されたため、グレーアウトされる用紙タイプが更に増える。すなわち、図２４Ｃは、仕切り紙を厚紙１５０ｇ／ｍ２に設定し、タブ紙を厚紙２１０ｇ／ｍ２に設定し結果、カルメン２０９ｇ／ｍ２が表紙の推奨紙ではなくなったので、カルメン紙２５３ｇ／ｍ２を選択した場合を示している。
【０１３０】
さらにまた、図２４Ｄは、図２４Ｃの画面設定において、グレーアウトされた推奨紙ではない厚紙１５０ｇ／ｍ２を選択した場合の画面を示す図である。図２４Ｄに示す通り、本実施形態では、グレーアウトされた非推奨紙であっても選択することが可能であり、選択された用紙タイプは反転表示される。ここで「設定」ボタン２４０５を押下すると、非推奨紙を表紙として選択していることを警告するための、図２３に示す警告画面が表示される。
【０１３１】
図１９において、本身タイプテーブル２５０２、仕切り紙タイプテーブル２５０３、及びタブ紙タイプテーブルには、それぞれ印刷装置が使用可能な用紙タイプ毎に、製本した際の表紙がたわむか否かの耐久度を計算する上での指数がテーブル化されている。また、表紙タイプ２５０１には、表紙がたわむか否かの耐久度が用紙タイプ毎にテーブル化されている。
【０１３２】
ここで、図２４Ｃに示すような被耐久度指数、及び耐久度のテーブルが各２５０１〜２５０４のテーブルにセットされているとすると、用紙タイプは本身が厚紙１５０ｇ／ｍ２であるので被耐久度指数は７０、仕切り紙が厚紙１５０ｇ／ｍ２であるので被耐久度指数も同じく７０、タブ紙が厚紙２１０ｇ／ｍ２であるので被耐久度指数は９０となる。
【０１３３】
最初に、制御部１００２は、メモリ１００４にセットされている各用紙タイプテーブルの選択された用紙タイプの耐久度より、本身、仕切り紙、タブ紙毎の製本した際の表紙の耐久度を計算する。ここで、計算式は、
本身、仕切り紙、タブ紙の耐久度×ページ数×耐久度指数＝表紙の耐久度・・・（１）
で示す計算式を用いる。尚、本実施形態においては、耐久度指数は０．１として説明する。
【０１３４】
そして、本身に対する耐久度は、上記式（１）に基づいて計算すると、ページ数は１００ページであるので、
７０×１００×０．１＝７００
となり、本身に対する耐久度は７００となる。
【０１３５】
同様に、仕切り紙に対する耐久度は、ページ数は１０ページであるので、
７０×１０×０．１＝７０
となり、仕切り紙に対する耐久度は７０となる。
【０１３６】
また、タブ紙に対する耐久度は、ページ数は５ページであるので、
９０×５×０．１＝４５
となり、タブ紙に対する耐久度は４５となる。
【０１３７】
次に、制御部１００２は、計算された本身、仕切り紙、タブ紙のそれぞれに対する耐久度の総和をとり、製本された際のトータルでの耐久度を計算する。本実施形態では、上記耐久度から
７００＋７０＋４５＝８１５
となり、トータルの耐久度は８１５となる。
【０１３８】
そして、トータルの耐久度８１５に対して、表紙タイプテーブル２５０１の各用紙タイプの耐久度とを比較して、トータルの耐久度８１５以上の耐久度を持つ用紙タイプを推奨紙と判断して黒で表示するよう制御し、トータルの耐久度８１５より小さい耐久度の用紙タイプは非推奨紙と判断してグレーで表示するよう制御する。
【０１３９】
ここで、図２０は、表紙の推奨紙を判定する方法を説明するための図である。例えば、図２０に示す場合は、トータルの耐久度８１５以上の耐久度を持つ用紙タイプは、厚紙２５３ｇ／ｍ２の耐久度８２０、カルメン紙２５３ｇ／ｍ２の耐久度８４０、レザック紙253g/m2の耐久度８８０が推奨紙と判断され黒で表示され、それ以外の用紙タイプはトータルの耐久度８１５に満たない為に非推奨紙と判断されグレーで表示される。すなわち、図２４Ｃは、この条件のもとで表示された画面となっている。
【０１４０】
尚、本実施形態では、表紙、本身、仕切り紙、タブ紙の各用紙タイプテーブル２５０１〜２５０４の４つのテーブル構成によって推奨紙を判定する手法について説明してきたが、図２８に示すように一つのＬＵＴによって表現することもできる。図２８は、表紙の用紙タイプの推奨紙を判定するテーブルの一例を示す図である。
【０１４１】
図２８において、横軸は、表紙の各用紙タイプ名及び耐久度を示し、縦軸は、本身、仕切り紙、タブ紙の各用紙タイプ毎のページ数を示している。そして、各横軸と縦軸毎が交差する座標ごとに推奨するか否かを示すフラグがセットされており、制御部１００２がＬＵＴにセットされているフラグを参照して、推奨紙とするか否かを判定する。
【０１４２】
図２８においては、「○」で示された用紙が推奨紙であり、「×」で示された用紙が非推奨紙と判断するフラグを示している。図２８に示すように、メモリ１００４に表紙の推奨紙を判定するためのテーブルをＬＵＴにより簡単に構成することができるので、任意のＬＵＴの構成で簡単に推奨紙の判定を実現することができる。
【０１４３】
そして、ステップＳ１９１６において、発注者は、上述したように選択した本身、仕切り紙、タブ紙に応じて、表紙として適した用紙を推奨紙として黒、表紙として適さない非推奨紙としてグレーで表示するよう制御された「用紙タイプ選択」画面の中より、表紙の用紙タイプを選択する。
【０１４４】
その後、「印刷体裁設定」の画面に戻り、設定内容に問題がなければ「次へ（オーダー確認へ）」ボタン１４１７を押下して、ステップＳ１９１７へ移行する。ここで、図２５は、図２４Ｃに示す「用紙タイプ設定」の画面において、「設定」ボタン２４０６を押下した場合に表示される「印刷体裁設定」の画面例を示す図である。
【０１４５】
ステップＳ１９１７において、発注者は、発注者が今までに設定した発注内容で問題ないかどうかを確認する。図２６は、第１の実施形態における「オーダー確認」画面の一例を示す図である。発注者は、図２６に示す「オーダー確認」画面を用いて、「入稿設定情報」表示ボックス１７０２、「印刷体裁情報」表示ボックス１７０３に表示されている設定内容を確認する。
【０１４６】
そして、発注者は、設定内容に問題がなければ「オーダー確認」画面において「発注する」ボタン１７０５を押下して発注を指示する（ステップＳ１９１８）。尚、設定内容に問題があり、発注者が設定をやり直したい場合には、「戻る（印刷体裁設定へ）」ボタン１７０７を押下して「印刷体裁設定」の画面に戻り設定をやり直す。また、発注者が、発注を全て取り消したい場合には、「取り消し」ボタン１７０６を押下してメニュー画面に戻る。
【０１４７】
次いで、作業者は、クライアントＰＣ１０１／クライアントＰＣ１０２を介して発注された内容を受注サーバ１０５により確認して、印刷装置に発注内容に従った設定を行い製本印刷を行う（ステップＳ１９１９）。そして、印刷装置より出力された製本印刷結果を特定の配送業者等を介して発注者へ配送する（ステップＳ１９２０）。その結果、配送された製本印刷物が発注者の元へ納入される（ステップＳ１９２１）。
【０１４８】
上述したように、第１の実施形態では、グレー表示された用紙タイプは非推奨紙ではあるが、発注者の要望で選択可能な場合について説明した。しかし、豊富な用紙タイプのリストの中から、発注者が設定ミスをしたり、絶対に製本印刷した結果をたわませたくないような場合には、その用紙を設定禁止にすることも同様に制御可能である。
【０１４９】
＜第２の実施形態＞
前述した第１の実施形態では、入稿するファイルの先頭ページ及び最終ページが表紙であることを想定して、或いは本身データのみを入稿して表紙データは予めＰＯＤサイト環境側に用意されているか別経由で送付する等して、一つの入稿ファイルで製本印刷する方法について説明した。次いで、第２の実施形態では、本身のデータと表紙のデータがそれぞれ別ファイルで用意されており、複数の入稿ファイルによって製本印刷を実施する場合について説明する。
【０１５０】
［複数の入稿ファイルによる製本時の表紙メディア選択シーケンス］
第２の実施形態における複数の入稿ファイルを使用しての製本印刷時の表紙メディア選択シーケンスについて実際のクライアントＰＣ１０１、１０２の画面上に表示される受発注管理アプリケーション画面に基づいて説明する。
【０１５１】
第２の実施形態における製本印刷時の表紙メディア選択シーケンスを示すフローチャートは、前述した第１の実施形態で用いた図１３に示したものと同様である。以下、第２の実施形態に係るステップに関してのみ説明する。
【０１５２】
第２の実施形態では、ステップＳ１９０１の入稿するファイルの設定において、さらに追加の設定が必要になる。すなわち、ステップＳ１９０１において、図１４に示すように「入稿設定」の画面において本身の入稿ファイルを「入稿するファイル」エディットボックスに入力して、「入稿（アップロード開始）」ボタン１３０３を押下すると、本身の入稿ファイルが一覧ボックス１３０４に表示される。
【０１５３】
第２の実施形態では、本身のデータを入稿した後に、さらに表紙のデータを別ファイルで入稿する場合には、本身のファイルを入稿した手順と同様に、「入稿するファイル」エディットボックスに表紙のファイルのパスを入力して、「製本構成」プルダウンリストボックス１３０２より、入稿するファイルをどの製本構成に当たるのかを選択する。
【０１５４】
図２７は、「入稿設定」の画面においてさらに表紙ファイルを入力して、「入稿（アップロード開始）」ボタン１３０３を押下した際に表示される画面の一例を示す図である。受注サーバ１０５に表紙データのファイルがアップロードされると、一覧ボックス１３０４にアップロードした表紙ファイルが追加して表示される。尚、以下のステップＳ１９０２以降のシーケンスについては、前述した第１の実施形態と同様であるため、説明を省略する。
【０１５５】
＜第３の実施形態＞
前述した第１の実施形態及び第２の実施形態においては、発注者がユーザ端末１０１又は１０２に表示されるウェブブラウザにおいて製本印刷の表紙の用紙タイプを選択する実施例に関して説明してきた。次いで、第３の実施形態では、ＰＯＤシステム１１５のオペレータが受注サーバ１０５に受注された内容に従ってＰＯＤサイト環境内のクライアントＰＣ１０９においてプリンタドライバにより用紙タイプを選択する方法について説明する。
【０１５６】
［プリンタドライバを使用した製本時の用紙タイプ選択シーケンス］
第３の実施形態における製本印刷時の用紙タイプ選択シーケンスについて実際のクライアントＰＣ１０９の画面上に表示されるプリンタドライバ画面に基づいて説明する。
【０１５７】
図２９は、第３の実施形態における製本印刷時の用紙タイプ選択シーケンスを説明するためのフローチャートである。まず、ＰＯＤシステム１１５のオペレータが、クライアントＰＣ１０９を介して受注サーバ１０５が受注した受注内容を確認する（ステップＳ３５０１）。製本印刷の発注は、第１の実施形態及び第２の実施形態のように、発注者がユーザ端末１０１又は１０２において、ウェブブラウザを介して発注する場合の他に、発注者がインターネット１０３を介さずに、発注内容の指示書を電子メールや郵送で送ってくる場合や、発注者が直接ＰＯＤシステム１１５へ来て印刷する原本のデータを持ち込んでくると共に印刷内容を指示する場合がある。
【０１５８】
ＰＯＤシステム１１５のオペレータは、クライアントＰＣ１０９にインストールされているアプリケーションを起動するとともに、ファイルサーバ１０６に保存されているプリントジョブデータをアプリケーションを介してクライアントＰＣ１０９の画面に表示させる。そして、アプリケーションを介して印刷指示をＭＦＰ１１０、１１１に行うために、クライアントＰＣのＯＳ（Operation system）にて管理されるプリンタドライバが提供するプリンタ画面を介して印刷設定を行う。すなわち、オペレータは、製本設定を含む印刷の体裁の設定を行う（ステップＳ３５０２）。
【０１５９】
図３０は、プリンタドライバの仕上げ処理に関連したプロパティ設定画面構成の一例を示す図である。具体的には、プリンタドライバのプロパティ設定画面の「ページ設定」タブ８０１を押下してページ設定に関する設定を行った後に、「仕上げ」タブ８０２を選択して仕上げに関する設定を行う。製本印刷を行うので「印刷方法」プルダウンリストボックス９０１により「製本印刷」を選択する。
【０１６０】
次いで、本身の文書データを印刷処理するのに用いる用紙タイプの選択を行う（ステップＳ３５０３）。図３１は、図３０におけるプロパティ設定画面の「給紙」タブを選択した場合に表示される、給紙に関する設定画面の初期画面を示す図である。図３１において、「用紙の指定方法」選択ラジオボタン３７０１は、「給紙部で指定」「用紙タイプで指定」のように、給紙するカセットによって指定するか、用紙タイプによって指定するかを選択するためのボタンである。
【０１６１】
また、図３１において、「給紙選択」プルダウンリストボックス３７０２は、「全ページを同じ用紙に印刷」、「最初と最後の用紙を指定して印刷」、「最初と２枚目、最後の用紙を指定して印刷」、「表紙の用紙を指定して印刷」の中から、製本構成毎の用紙指定の方法を選択するためのボックスである。さらに、「インサータ給紙」選択ラジオボタン３７０３は、「する」、「しない」の中から、表紙を用紙をインサータより給紙するか否かを選択するためのボタンである。
【０１６２】
本実施形態では、表紙と本身とでそれぞれ異なったタイプの用紙を指定するので、「用紙の指定方法」選択ラジオボタン３７０１により「用紙タイプで指定」を選択し、「給紙選択」プルダウンリストボックス３７０２により「表紙の用紙を指定して印刷」を選択する。そして、「インサータ給紙」選択ラジオボタン３７０３は「しない」を選択する。尚、表紙の用紙タイプをインサータより給紙したい場合には、「インサータ給紙」選択ラジオボタン３７０３は「する」を選択する。
【０１６３】
図３２は、第３の実施形態における用紙タイプ指定を選択した際の給紙に関わるプロパティ設定画面の一例を示す図である。図３１に示す画面における「給紙選択」プルダウンリストボックス３７０２により「表紙の用紙を指定して印刷」を選択すると、新たに「表紙」選択プルダウンリストボックス３８０１と、「その他のページ」選択プルダウンリストボックス３８０２が現れる。
【０１６４】
「表紙」選択プルダウンリストボックス３８０１は、使用可能な用紙タイプの中から表紙の用紙タイプを選択するボタンである。また、「その他のページ」選択プルダウンリストボックス３８０２は、使用可能な用紙タイプの中から表紙以外の本身の用紙タイプを選択するボタンである。ここで、本身の用紙タイプとして、「その他のページ」選択プルダウンリストボックス３８０２により、厚紙１５０ｇ／ｍ２を選択する。
【０１６５】
上述したように、ステップＳ３５０３で本身の用紙タイプを選択した後、製本印刷を行うか否かを区別する（ステップＳ３５０４）。その結果、「印刷方法」プルダウンリストボックス９０１により「製本印刷」を選択している場合（製本あり）にはステップＳ３５０５へ移行し、「製本印刷」を選択していない場合（製本なし）にはステップＳ３５０８へ移行する。
【０１６６】
ステップＳ３５０５においては、表紙として選択させる用紙タイプを決定する。本実施形態では、ＭＦＰ１１０／ＭＦＰ１１１が外部Ｉ／Ｆ２０２を介して予めファイルサーバ１０６に格納されている用紙タイプ毎のメディア情報（メディアライブラリ）をロードして、メモリコントローラ部２０６を介してＨＤＤ２０９へ記憶し、ＣＰＵ２０５によってＨＤＤ２０９へ記憶されたメディア情報の中から必要な用紙タイプのメディア情報に基づいて第１の実施形態で説明した表紙、本身、仕切り紙、タブ紙の各用紙タイプテーブル２５０１〜２５０４と等価なテーブルを作成して、ＲＡＭ２０８へセットする。
【０１６７】
そしてオペレータが「その他のページ」選択プルダウンリストボックス３８０２により選択した本身の用紙タイプとページ数に基づいて、表紙の用紙タイプが推奨紙であるか否かをＣＰＵ２０５によって判定する（ステップＳ３５０５）。尚、判定の手法については前述した第１の実施形態と同様であるため、その説明を省略する。
【０１６８】
次いで、ステップＳ３５０５での判定結果に基づいて、表紙として用いることができる用紙タイプを表示する（ステップＳ３５０６）。図３３は、本身として厚紙１５０ｇ／ｍ２を選択した場合に表示されるプロパティ設定画面を示す図である。図３３に示すように、本身の用紙タイプとして厚紙１５０ｇ／ｍ２を選択することで、表紙の用紙タイプとして設定している普通紙は、製本した場合にたわむと判断される。そのため、普通紙は、「表紙」選択プルダウンリストボックス３８０１上にグレーで表示される。
【０１６９】
次いで、表紙として使用する用紙タイプの選択を行う（ステップＳ３５０７）。図３３に示す画面において、「表紙」選択プルダウンリストボックス３８０１のプルダウンリストを表示させると、図３４に示すように使用可能の用紙タイプが、推奨紙の場合は黒、非推奨紙の場合はグレーで表示される。図３４は、表紙の用紙タイプとして推奨紙のカルメン紙２０９ｇ／ｍ２を選択している例を示す図である。尚、非推奨紙でも問題ない場合には、グレーで表示される用紙タイプを選択してもよい。この場合、第１の実施形態と同様に、図２３に示すような警告画面が表示される。
【０１７０】
次いで、上述した各ステップにおいて設定した内容を確認する（ステップＳ３５０８）。図３５は、「表紙」選択プルダウンリストボックス３８０１によりカルメン紙２０９ｇ／ｍ２を選択した場合に表示されるプロパティ設定画面の例を示す図である。そして、設定内容に問題がなければ、「ＯＫ」ボタン８０３を押下してプロパティ設定画面を閉じる。一方、問題がある場合には、上述の設定をやり直し、プロパティ設定画面における全ての設定を取り消したい場合には「キャンセル」ボタン８０４を押下する。
【０１７１】
全ての設定内容を確認した後に、プリンタドライバの設定画面で「ＯＫ」ボタン７０２を押下することで製本印刷を開始する（ステップＳ３５０９）。そして、印刷装置より出力された製本印刷結果を特定の配送業者等を介して発注者へ配送する（ステップＳ３５１０）。
【０１７２】
第３の実施形態でも前述した第１及び第２の実施形態と同様に、グレー表示された用紙タイプは非推奨紙ではあるものの、発注者の要望で選択可能な場合について説明した。しかし、豊富な用紙タイプのリストの中から作業者が設定ミスをしたり、絶対に製本印刷した結果をたわませたくないような場合には、設定禁止にすることも同様に制御可能である。
【０１７３】
＜第４の実施形態＞
前述した第３の実施形態では、クライアントＰＣ１０９によって作業者が製本印刷の表紙メディアを選択する実施形態に関して説明した。これに対し、本実施形態では、作業者がＰＯＤサイト環境内のＭＦＰ１１０／ＭＦＰ１１１における操作部２０４により表紙メディアを選択する方法について説明する。
【０１７４】
［操作部２０４を使用した製本時の表紙メディア選択シーケンス］
第４の実施形態では、製本印刷時の表紙メディア選択シーケンスについて実際の操作部２０４の画面上に表示されるＬＣＤ画面に基づいて説明する。尚、本実施形態における製本印刷時の表紙メディア選択シーケンスを示すフローチャートは、前述した第３の実施形態における図２９のフローチャートと同様である。そして、以下では、図２９のフローチャートを操作部２０４により操作した場合について説明する。
【０１７５】
まず、作業者が製本印刷する受注内容を確認する（ステップＳ３５０１）。尚、製本印刷の発注は、第１の実施形態及び第２の実施形態のように、発注者がクライアントＰＣ１０１／クライアントＰＣ１０２において、ウェブブラウザ画面を介して発注する場合の他に、発注者がインターネット１０３を介さずに、発注内容の指示書を電子メールや郵送で送ってくる場合や、発注者が直接ＰＯＤシステム１１５へ来て印刷する原本のデータを持ち込んでくると共に印刷内容を指示する場合がある。
【０１７６】
作業者は、発注者から受注した内容を確認して、ＭＦＰ１１０／ＭＦＰ１１１の操作部２０４の画面を介して印刷設定を行う。そこで、次に製本設定を含む印刷の体裁の設定を行う（ステップＳ３５０２）。図３６は、テンキー４０６によってページ数を５００ページで設定した際の操作部２０４の画面の表示例を示す図である。作業者は、応用モードキー５１８を押下して「応用モード」設定画面へ移行する。
【０１７７】
図３７は、第４の実施形態における「応用モード」設定画面の一例を示す図である。図３７において、「製本」移行ボタン４３０１は、製本モードの設定へ移行するためのボタンである。「製本」移行ボタン４３０１が押下された場合、製本モードへ移行する。尚、製本を行わない場合には、「製本」移行ボタン４３０１以外のボタンによって必要な設定を行う。また、製本モードの画面へ移行して、原稿サイズを指定し、原稿が「左開き」であるか「右開き」であるかといった仕上がりの設定を行い、それぞれ「次へ」ボタンを押して次画面へ進んでいくことによって、「用紙選択」設定画面が表示される。
【０１７８】
図３８は、第４の実施形態における製本モードにおける「用紙選択」設定画面の一例を示す図である。図３８に示す「用紙選択」設定画面では、給紙するカセットやトレイを選択して、各給紙部毎に用紙タイプを設定するためのボタンが設けられている。「１段目給紙カセット」設定ボタン４４０１は、１段目の給紙カセットの用紙タイプを選択して給紙するためのボタンである。「インサータ変更予約」設定ボタン４４０２は、インサータより用紙タイプを変更して給紙するためのボタンである。「表紙」設定ボタン４４０３は、表紙の用紙選択を行うか、本身の用紙選択を行うかを切り換えるためのボタンであり、表紙の用紙選択を行う場合には「表紙」設定ボタン４４０３を押下し、本身の用紙選択を行う場合には「表紙」設定ボタン４４０３を押下しない。
【０１７９】
次いで、作業者は、本身の用紙タイプの選択を行う（ステップＳ３５０３）。第４の実施形態では、本身は１段目の給紙カセットより給紙して、表紙はインサータより給紙する設定について説明する。そこで、図３８に示す「用紙選択」設定画面において、「表紙」設定ボタン４４０３を押下しないで、「１段目給紙カセット」設定ボタン４４０１を押下して、本身の用紙タイプを設定する。
【０１８０】
次いで、製本印刷を行うか否かを区別する（ステップＳ３５０４）。その結果、「製本」移行ボタン４３０１を押下して製本モードの画面へ移行している場合（製本あり）にはステップＳ３５０５へ移行し、「製本」移行ボタン４３０１を押下していない場合（製本なし）にはステップＳ３５０８へ移行する。
【０１８１】
Ｓ３５０５においては、表紙として選択させる用紙タイプを決定する。表紙の用紙タイプの設定するために、「表紙」設定ボタン４４０３を押下して、「インサータ変更予約」設定ボタン４４０２を押下して表紙の「用紙種類の選択」設定画面へ進む。
【０１８２】
本実施形態についても第３の実施形態と同様に、ＭＦＰ１１０／ＭＦＰ１１１が外部Ｉ／Ｆ２０２を介して予めファイルサーバ１０６に格納されている用紙タイプのメディア情報（メディアライブラリ）をロードする。そして、メモリコントローラ部２０６を介してＨＤＤ２０９へ記憶する。そして、ＣＰＵ２０５によってＨＤＤ２０９へ記憶されたメディア情報の中から必要な用紙タイプのメディア情報に基づいて、第１の実施形態で説明した表紙、本身、仕切り紙、タブ紙の各用紙タイプテーブル２５０１〜２５０４と等価なテーブルを作成して、ＲＡＭ２０８へセットする。そして、作業者が選択した本身の用紙タイプとページ数に基づいて、表紙の用紙タイプが推奨紙であるか否かをＣＰＵ２０５によって判定する。尚、判定の手法については、第１の実施形態と同様であるので説明を省略する。
【０１８３】
次いで、その判定結果に基づいて、表紙として選択させる用紙タイプを表示する（ステップＳ３５０６）。図３９は、図３８に示す「用紙選択」設定画面より「インサータ変更予約」設定ボタン４４０２を押下して表示される表紙をインサータより変更予約で給紙する場合の「用紙種類の選択」設定画面の一例を示す図である。
【０１８４】
図３９に示すように、判定の結果から、「ハンマーミル２０９ｇ／ｍ２」、「カルメン紙２０９ｇ／ｍ２」、「カルメン紙３１０ｇ／ｍ２」が推奨紙と判定され黒で表示され、「ハンマーミル８０ｇ／ｍ２」、「ハンマーミル１０５ｇ／ｍ２」、「ハンマーミル１６４ｇ／ｍ２」、「カルメン紙１６４ｇ／ｍ２」が非推奨紙と判定されグレーで表示されている。
【０１８５】
次いで、表紙として使用する用紙タイプの選択を行う（ステップＳ３５０７）。図３９に示す「用紙種類の選択」設定画面において、表紙として使用する用紙タイプを選択し、「閉じる」ボタンを押下することで製本モードの設定を終了する。尚、非推奨紙でも問題ない場合には、グレーで表示される用紙タイプを選択してもよい。この場合、第１の実施形態と同様に、図２３に示すような警告画面が表示される。
【０１８６】
そして、作業者は設定した内容を確認する（ステップＳ３５０８）。図４０は、製本モードの設定を終了して全ての設定が終了した場合に操作部２０４に表示される画面の一例を示す図である。そして、設定内容に問題がなければ、ステップＳ３５０９へ移行する。一方、問題がある場合には、上述の設定をやり直し、全ての設定を取り消したい場合にはクリアキー４０７を押下する。
【０１８７】
ステップＳ３５０９において全ての設定内容を確認した後に、操作部２０４のスタートキー４０３を押下することで製本印刷を開始する。そして、印刷装置より出力された製本印刷結果を特定の配送業者等を介して発注者へ配送する（ステップＳ３５１０）。
【０１８８】
＜その他の実施形態＞
以上、実施形態例を詳述したが、本発明は、例えば、システム、装置、方法、プログラム若しくは記憶媒体（記録媒体）等としての実施態様をとることが可能であり、具体的には、複数の機器から構成されるシステムに適用しても良いし、また、一つの機器からなる装置に適用しても良い。
【０１８９】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【０１９０】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０１９１】
その場合、プログラムの機能を有していれば、オブジェクトコード、インタプリタにより実行されるプログラム、ＯＳに供給するスクリプトデータ等の形態であっても良い。
【０１９２】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１９３】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１９４】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１９５】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【０１９６】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【０１９７】
【図１】本発明の第１の実施形態に係る印刷処理システムを示す図である。
【図２】ＭＦＰ１１０、１１１の構成を示すブロック図である。
【図３】ＭＦＰの構成を示す断面図である。
【図４】ＰＯＤシステム１１５における受注サーバ１０５の構成を示すブロック図である。
【図５】ユーザからのプリントサービスの受発注におけるＰＯＤシステムのワークフローを示す図である。
【図６】プリントサービスを受発注するための受発注管理アプリケーショメニューの画面を示す図である。
【図７】受発注オーダーにおける出力／製本サービスのための設定画面構成の一例を示す図である。
【図８】出力／製本サービスの印刷体裁を設定するための設定画面構成の一例を示す図である。
【図９】「製本の種類」プルダウンリストボックス１４０８を選択して、製本の種類のリストをプルダウン表示させた一例を示す図である。
【図１０】図１２に示す「印刷体裁設定」の画面の上にポップアップされて表示される「製本詳細設定」の画面の一例を示す図である。
【図１１】出力／製本サービスにおいてオーダーする内容を確認し発注するための画面構成の一例を示す図である。
【図１２】印刷装置によって冊子等をくるみ製本印刷設定により生成した場合のプリント出力例を示す図である
【図１３Ａ】、
【図１３Ｂ】、
【図１３Ｃ】第１の実施形態における製本印刷時の用紙タイプ選択シーケンスを説明するためのフローチャートである。
【図１４】「入稿（アップロード開始）」ボタン１３０３を押下した際に表示される「入稿設定」の画面の一例を示す図である。
【図１５】第１の実施形態における「印刷体裁設定」の画面の一例を示す図である。
【図１６】図２１に示す画面において製本の種類のリストをプルダウン表示させた一例を示す図である。
【図１７】第１の実施形態における「製本詳細設定」の画面の一例を示す図である。
【図１８】「製本詳細設定」の画面において「設定」ボタン１６０４を押下して表示される「用紙タイプ設定」の画面の一例を示す図である。
【図１９】表紙タイプテーブル、本身タイプテーブル、仕切り紙タイプテーブル、タブ紙タイプテーブルを示す図である。
【図２０】表紙の推奨紙を判定する方法を説明するための図である。
【図２１】クライアントＰＣ１０１／クライアントＰＣ１０２において表示される「用紙タイプ設定」の画面の一例を示す図である。
【図２２Ａ】図２１に示す画面設定において、「入稿ファイルページ数」エディットボックス２４０５によりページ数を２５０ページと設定した場合を示す図である。
【図２２Ｂ】図２２Ａの画面から「入稿ファイルページ数」エディットボックス２４０５によりページ数を５００ページと設定した場合の画面を示す図である。
【図２２Ｃ】「入稿ファイルページ数」エディットボックス２４０５によりページ数を５００ページと設定した場合に、グレーアウトされた推奨紙ではない普通紙を選択した場合の画面を示す図である。
【図２３】「表紙用紙タイプ」選択ボックス２４０１においてグレーアウトされている非推奨紙を選択した場合に表示される警告画面の一例を示す図である。
【図２４Ａ】図２１に示す画面の設定において「本身用紙タイプ」選択ボックス２４０２により、本身の用紙タイプを厚紙１０６ｇ／ｍ２と設定した場合の画面を示す図である。
【図２４Ｂ】図２４Ａの画面から「本身用紙タイプ」選択ボックス２４０２により、本身の用紙タイプを厚紙１５０ｇ／ｍ２と設定した場合の画面を示す図である。
【図２４Ｃ】図２４Ｂの画面から「仕切り紙用紙タイプ」選択ボックス２４０３により、仕切り紙の用紙タイプを厚紙１５０ｇ／ｍ２と設定し、「タブ紙用紙タイプ」選択ボックス２４０４により、タブ紙の用紙タイプを厚紙２１０ｇ／ｍ２と設定した場合を示す図である。
【図２４Ｄ】図２４Ｃの画面設定において、グレーアウトされた推奨紙ではない厚紙１５０ｇ／ｍ２を選択した場合の画面を示す図である。
【図２５】図２４Ｃに示す「用紙タイプ設定」の画面において、「設定」ボタン２４０６を押下した場合に表示される「印刷体裁設定」の画面例を示す図である。
【図２６】第１の実施形態における「オーダー確認」画面の一例を示す図である。
【図２７】「入稿設定」の画面においてさらに表紙ファイルを入力して、「入稿（アップロード開始）」ボタン１３０３を押下した際に表示される画面の一例を示す図である。
【図２８】表紙の用紙タイプの推奨紙を判定するテーブルの一例を示す図である。
【図２９】第３の実施形態における製本印刷時の表紙メディア選択シーケンスを説明するためのフローチャートである。
【図３０】プリンタドライバの仕上げ処理に関連したプロパティ設定画面構成の一例を示す図である。
【図３１】プロパティ設定画面の「給紙」タブを選択した場合に表示される、給紙に関する設定画面の初期画面を示す図である。
【図３２】第３の実施形態における用紙タイプ指定を選択した際の給紙に関わるプロパティ設定画面の一例を示す図である。
【図３３】本身として厚紙１５０ｇ／ｍ２を選択した場合に表示されるプロパティ設定画面を示す図である。
【図３４】表紙の用紙タイプとして推奨紙のカルメン紙２０９ｇ／ｍ２を選択している例を示す図である。
【図３５】「表紙」選択プルダウンリストボックス３８０１によりカルメン紙２０９ｇ／ｍ２を選択した場合に表示されるプロパティ設定画面の例を示す図である。
【図３６】テンキー４０６によってページ数を５００ページで設定した際の操作部２０４の画面の表示例を示す図である。
【図３７】第４の実施形態における「応用モード」設定画面の一例を示す図である。
【図３８】第４の実施形態における製本モードにおける「用紙選択」設定画面の一例を示す図である。
【図３９】図３８に示す「用紙選択」設定画面より「インサータ変更予約」設定ボタン４４０２を押下して表示される表紙をインサータより変更予約で給紙する場合の「用紙種類の選択」設定画面の一例を示す図である。
【図４０】製本モードの設定を終了して全ての設定が終了した場合に操作部２０４に表示される画面の一例を示す図である。
【符号の説明】
【０１９８】
１０１、１０２、１０９  クライアントＰＣ
１０３  インターネット
１０４  ネットワーク
１０５  受注サーバ
１０６  ファイルサーバ
１０７  スキャナ
１０８  プリントサーバ
１１０、１１１  ＭＦＰ
１１２  紙折り機
１１３  くるみ製本機
１１４  断裁機
２０１  スキャナ部
２０２  外部Ｉ／Ｆ
２０３  プリンタ部
２０４  操作部／表示部
２０５  ＣＰＵ
２０６  メモリコントローラ部
２０７  ＲＯＭ
２０８  ＲＡＭ
２０９  ＨＤＤ
２１０  圧縮伸長部
【図１】
2006335047.tif 000003
【図２】
2006335047.tif 000004
【図３】
2006335047.tif 000005
【図４】
2006335047.tif 000006
【図５】
2006335047.tif 000007
【図６】
2006335047.tif 000008
【図７】
2006335047.tif 000009
【図８】
2006335047.tif 000010
【図９】
2006335047.tif 000011
【図１０】
2006335047.tif 000012
【図１１】
2006335047.tif 000013
【図１２】
2006335047.tif 000014
【図１３Ａ】
2006335047.tif 000015
【図１３Ｂ】
2006335047.tif 000016
【図１３Ｃ】
2006335047.tif 000017
【図１４】
2006335047.tif 000018
【図１５】
2006335047.tif 000019
【図１６】
2006335047.tif 000020
【図１７】
2006335047.tif 000021
【図１８】
2006335047.tif 000022
【図１９】
2006335047.tif 000023
【図２０】
2006335047.tif 000024
【図２１】
2006335047.tif 000025
【図２２Ａ】
2006335047.tif 000026
【図２２Ｂ】
2006335047.tif 000027
【図２２Ｃ】
2006335047.tif 000028
【図２３】
2006335047.tif 000029
【図２４Ａ】
2006335047.tif 000030
【図２４Ｂ】
2006335047.tif 000031
【図２４Ｃ】
2006335047.tif 000032
【図２４Ｄ】
2006335047.tif 000033
【図２５】
2006335047.tif 000034
【図２６】
2006335047.tif 000035
【図２７】
2006335047.tif 000036
【図２８】
2006335047.tif 000037
【図２９】
2006335047.tif 000038
【図３０】
2006335047.tif 000039
【図３１】
2006335047.tif 000040
【図３２】
2006335047.tif 000041
【図３３】
2006335047.tif 000042
【図３４】
2006335047.tif 000043
【図３５】
2006335047.tif 000044
【図３６】
2006335047.tif 000045
【図３７】
2006335047.tif 000046
【図３８】
2006335047.tif 000047
【図３９】
2006335047.tif 000048
【図４０】
2006335047.tif 000049